(57)【特許請求の範囲】
【請求項１】
２つ以上のアンテナを有するユーザ機器によって実施される通信のための方法であって、
第１の通信チャネルを介した第１のアクセスポイントとの通信のための前記２つ以上のアンテナのアンテナサブセットの第１のセットを識別することと、
第２の通信チャネルを介した第２のアクセスポイントとの通信のための前記２つ以上のアンテナのアンテナサブセットの第２のセットを識別することと、
前記アンテナサブセットの第１のセットについての前記第１の通信チャネルのための、および、前記アンテナサブセットの第２のセットについての前記第２の通信チャネルのための、チャネル推定値を決定することと、
前記決定されたチャネル推定値に少なくとも部分的に基づいて、チャネルレート情報を報告することと、ここにおいて、前記報告することが、前記第１の通信チャネルのための最大レートと前記アンテナサブセットの第１のセットとに基づく第１のチャネルレートを報告すること、前記第２の通信チャネルのための最大レートと前記アンテナサブセットの第２のセットとに基づく第２のチャネルレートを報告すること、第１のアンテナサブセットを使用する前記第１の通信チャネルの第３のチャネルレートを報告すること、もしくは、前記第１のアンテナサブセットとは異なる第２のアンテナサブセットを使用する前記第２の通信チャネルの第４のチャネルレートを報告することのうちの少なくとも１つ、またはそれらの組合せを備え、ここにおいて、前記第３のチャネルレートおよび前記第４のチャネルレートが、それぞれ前記第１のアンテナサブセットと前記第２のアンテナサブセットとを使用する、前記第１の通信チャネルと前記第２の通信チャネルとの最大合計容量に基づく、
前記報告されたチャネルレート情報に基づいて、前記第１の通信チャネルまたは前記第２の通信チャネルのうちの少なくとも１つを介して、少なくとも１つの送信を受信することと
を備え、
前記報告することが、前記第１のアクセスポイントに、前記第１の通信チャネルのための前記第１のチャネルレートを報告することを備え、前記第１の通信チャネルのための前記第１のチャネルレートが、前記第１の通信チャネルの前記最大レートに関連付けられた第３のアンテナサブセットに関連付けられ、ここにおいて、前記少なくとも１つの送信を前記受信することが、
前記第３のアンテナサブセットを使用して、第１の時間間隔内で前記第１のアクセスポイントからの送信を受信することと、
前記第２の通信チャネルの前記最大レートに関連付けられた第４のアンテナサブセットを使用して、前記第１の時間間隔とは異なる第２の時間間隔内で前記第２のアクセスポイントからの送信を受信することと
を備える、方法。
【請求項２】
前記報告することが、
前記第１のアクセスポイントに、前記第１の通信チャネルの前記第３のチャネルレートを報告すること
を備える、請求項１に記載の方法。
【請求項３】
前記第１のアクセスポイントのための第１の負荷重みと、前記第２のアクセスポイントのための第２の負荷重みとを決定することと、
前記第１の負荷重みと前記第２の負荷重みとにさらに基づいて、前記第１の通信チャネルと前記第２の通信チャネルとの前記最大合計容量を決定することと
をさらに備える、請求項２に記載の方法。
【請求項４】
前記報告することが、
前記第１のアクセスポイントに、前記第１の通信チャネルの前記第１のチャネルレートと前記第３のチャネルレートとを報告すること
を備える、請求項１に記載の方法。
【請求項５】
前記報告することが、
前記第２のアクセスポイントに、前記第２の通信チャネルの前記第２のチャネルレートと前記第４のチャネルレートとを報告すること
を備える、請求項４に記載の方法。
【請求項６】
前記少なくとも１つの送信を前記受信することが、
前記第１のアクセスポイントからアンテナ選択インジケータを受信することと、前記アンテナ選択インジケータが、アンテナ受信構成、アンテナサブセットインデックス、もしくはアンテナサブセットサイズのうちの１つ、またはそれらの組合せを指示する、
前記アンテナ選択インジケータに少なくとも部分的に基づいて、前記少なくとも１つの送信を受信するためのアンテナサブセットを決定することと
を備える、請求項４に記載の方法。
【請求項７】
前記アンテナ選択インジケータが、制御情報または構成メッセージのうちの１つにおいて受信される、請求項６に記載の方法。
【請求項８】
同時に、前記第１のアンテナサブセットを使用して前記第１の通信チャネルと、前記第２のアンテナサブセットを使用して前記第２の通信チャネルとを受信する能力のインジケータを送ることをさらに備える、または
前記第１のアクセスポイントがＬＴＥ（登録商標）／ＬＴＥ−Ａ  ｅＮＢを備え、前記第２のアクセスポイントがワイヤレスローカルエリアネットワーク（ＷＬＡＮ）アクセスポイントを備える、
請求項１に記載の方法。
【請求項９】
第１のアクセスポイントとユーザ機器（ＵＥ）との間の第１の通信チャネル、および第２のアクセスポイントと前記ＵＥとの間の第２の通信チャネルのための、チャネルレート情報を受信することと、ここにおいて、前記チャネルレートが、前記第１の通信チャネルのための最大レートに基づく第１のチャネルレート、前記第２の通信チャネルのための最大レートに基づく第２のチャネルレート、前記第１の通信チャネルの第３のチャネルレート、もしくは前記第２の通信チャネルの第４のチャネルレートのうちの少なくとも１つ、またはそれらの組合せを備え、ここにおいて、前記第３のチャネルレートおよび第４のチャネルレートが、それぞれ第１のアンテナサブセットと第２の異なるアンテナサブセットとを使用する、前記第１の通信チャネルと前記第２の通信チャネルとの最大合計容量に基づき、ここにおいて、前記第１の通信チャネルのための前記第１のチャネルレートが、前記第１の通信チャネルの前記最大レートに関連付けられた第３のアンテナサブセットに関連付けられ、前記第３のアンテナサブセットを使用して、第１の時間間隔内で前記第１のアクセスポイントからの送信が受信され、前記第２の通信チャネルの前記最大レートに関連付けられた第４のアンテナサブセットを使用して、前記第１の時間間隔とは異なる第２の時間間隔内で前記第２のアクセスポイントからの送信が受信される、
前記受信されたチャネルレートに少なくとも部分的に基づいて、前記第１の通信チャネルおよび前記第２の通信チャネルのための、前記ＵＥのためのスケジューリング優先順位メトリックを決定することと、
前記決定されたスケジューリング優先順位メトリックに基づいて、前記第１のアクセスポイントまたは前記第２のアクセスポイントのうちの少なくとも１つと前記ＵＥとの間の通信をスケジュールすることと
を備える方法。
【請求項１０】
前記受信されたチャネルレートが、前記第１の通信チャネルのための前記第３のチャネルレートを備え、ここにおいて、前記スケジューリング優先順位メトリックを決定することが、前記第１のアクセスポイントのための、前記ＵＥのための第１のスケジューリング優先順位メトリックを決定することと、前記第１のスケジューリング優先順位メトリックから独立して、前記第２のアクセスポイントのための、前記ＵＥのための第２のスケジューリング優先順位メトリックを決定することとを備える、または
前記受信されたチャネルレートが、前記第１の通信チャネルのための前記第３のチャネルレートを備え、ここにおいて、前記スケジュールすることが、同時に前記第１のアクセスポイントおよび前記第２のアクセスポイントと前記ＵＥとの間の通信をスケジュールすることを備える、または
前記受信されたチャネルレートが、前記第１の通信チャネルのための前記第１のチャネルレートを備え、ここにおいて、前記スケジュールすることが、直交リソースを使用して、前記第１のアクセスポイントおよび前記第２のアクセスポイントと前記ＵＥとの間の通信をスケジュールすることを備える、または
前記受信されたチャネルレートが、前記第１の通信チャネルのための前記第１のチャネルレートと前記第３のチャネルレートとを備え、ここにおいて、前記ＵＥのための前記スケジューリング優先順位メトリックを決定することが、前記第１のアクセスポイントおよび前記第２のアクセスポイントの各々について、前記第１の通信チャネルのための第１のスケジューリング優先順位メトリックと、前記第２の通信チャネルのための第２のスケジューリング優先順位メトリックと、前記第１の通信チャネルおよび前記第２の通信チャネルの同時使用のための第３のスケジューリング優先順位メトリックとを決定することを備える、または
前記方法が、
前記スケジュールされた通信を受信するための、前記ＵＥのためのアンテナサブセットメトリックを識別することと、前記アンテナサブセットメトリックが、アンテナ受信構成、アンテナサブセットインデックス、もしくはアンテナサブセットサイズのうちの１つ、またはそれらの組合せを備える、前記スケジュールされた通信のためのアンテナ選択のために、前記ＵＥへ前記アンテナサブセットメトリックを送ることとをさらに備える、または
同時に、前記第１のアンテナサブセットを使用して前記第１の通信チャネルと、前記第２のアンテナサブセットを使用して前記第２の通信チャネルとを受信する能力のインジケータを受信することをさらに備える、
請求項９に記載の方法。
【請求項１１】
ワイヤレス通信のための装置であって、
２つ以上のアンテナを有するユーザ機器（ＵＥ）について、前記２つ以上のアンテナのアンテナサブセットの第１のセットと、前記２つ以上のアンテナのアンテナサブセットの第２のセットとを識別するための手段と、前記アンテナサブセットの第１のセットおよび前記アンテナサブセットの第２のセットが、それぞれ、第１の通信チャネルを介した第１のアクセスポイントとの、および第２の通信チャネルを介した第２のアクセスポイントとの通信のためである、
前記アンテナサブセットの第１のセットについての前記第１の通信チャネルのための、および、前記アンテナサブセットの第２のセットについての前記第２の通信チャネルのための、チャネル推定値を決定するための手段と、
前記決定されたチャネル推定値に少なくとも部分的に基づいて、チャネルレート情報を報告するための手段と、ここにおいて、前記報告することが、前記第１の通信チャネルのための最大レートと前記アンテナサブセットの第１のセットとに基づく第１のチャネルレートを報告すること、前記第２の通信チャネルのための最大レートと前記アンテナサブセットの第２のセットとに基づく第２のチャネルレートを報告すること、第１のアンテナサブセットを使用する前記第１の通信チャネルの第３のチャネルレートを報告すること、もしくは、前記第１のアンテナサブセットとは異なる第２のアンテナサブセットを使用する前記第２の通信チャネルの第４のチャネルレートを報告することのうちの少なくとも１つ、またはそれらの組合せを備え、ここにおいて、前記第３のチャネルレートおよび前記第４のチャネルレートが、それぞれ前記第１のアンテナサブセットと前記第２のアンテナサブセットとを使用する、前記第１の通信チャネルと前記第２の通信チャネルとの最大合計容量に基づく、
前記報告されたチャネルレート情報に基づいて、前記第１の通信チャネルまたは前記第２の通信チャネルのうちの少なくとも１つを介して、少なくとも１つの送信を受信するための手段と
を備え、
前記報告するための手段が、前記第１のアクセスポイントに、前記第１の通信チャネルのための前記第１のチャネルレートを報告することを備え、前記第１の通信チャネルのための前記第１のチャネルレートが、前記第１の通信チャネルの前記最大レートに関連付けられた第３のアンテナサブセットに関連付けられ、ここにおいて、前記少なくとも１つの送信を受信するための手段が、
前記第３のアンテナサブセットを使用して、第１の時間間隔内で前記第１のアクセスポイントからの送信を受信することと、
前記第２の通信チャネルの前記最大レートに関連付けられた第４のアンテナサブセットを使用して、前記第１の時間間隔とは異なる第２の時間間隔内で前記第２のアクセスポイントからの送信を受信することと
を備える、装置。
【請求項１２】
ワイヤレス通信のための装置であって、
第１のアクセスポイントとユーザ機器（ＵＥ）との間の第１の通信チャネル、および第２のアクセスポイントと前記ＵＥとの間の第２の通信チャネルのための、チャネルレート情報を受信するための手段と、ここにおいて、前記チャネルレートが、前記第１の通信チャネルのための最大レートに基づく第１のチャネルレート、前記第２の通信チャネルのための最大レートに基づく第２のチャネルレート、前記第１の通信チャネルの第３のチャネルレート、もしくは前記第２の通信チャネルの第４のチャネルレートのうちの少なくとも１つ、またはそれらの組合せを備え、ここにおいて、前記第３のチャネルレートおよび第４のチャネルレートが、前記第１の通信チャネルと前記第２の通信チャネルとの最大合計容量に基づき、ここにおいて、前記第１の通信チャネルのための前記第１のチャネルレートが、前記第１の通信チャネルの前記最大レートに関連付けられた第３のアンテナサブセットに関連付けられ、前記第３のアンテナサブセットを使用して、第１の時間間隔内で前記第１のアクセスポイントからの送信が受信され、前記第２の通信チャネルの前記最大レートに関連付けられた第４のアンテナサブセットを使用して、前記第１の時間間隔とは異なる第２の時間間隔内で前記第２のアクセスポイントからの送信が受信される、
前記受信されたチャネルレート情報に少なくとも部分的に基づいて、前記第１の通信チャネルおよび前記第２の通信チャネルのための、前記ＵＥのためのスケジューリング優先順位メトリックを決定するための手段と、
前記決定されたスケジューリング優先順位メトリックに基づいて、前記第１のアクセスポイントまたは前記第２のアクセスポイントのうちの少なくとも１つと前記ＵＥとの間の通信をスケジュールするための手段と
を備える装置。
【請求項１３】
請求項１乃至８のいずれかのステップを実行するためのコードを備えた、ワイヤレス通信のためのコンピュータプログラム。
【請求項１４】
請求項９乃至１０のいずれかのステップを実行するためのコードを備えた、ワイヤレス通信のためのコンピュータプログラム。
【発明の詳細な説明】
【技術分野】
【０００１】
相互参照
[0001]本特許出願は、本出願の譲受人に譲渡され、２０１３年９月２７日に出願された「Ｍｕｌｔｉｆｌｏｗ  Ｗｉｔｈ  Ａｎｔｅｎｎａ  Ｓｅｌｅｃｔｉｏｎ」と題する、Ｚｈａｎｇらによる米国特許出願第１４／０４０，１９２号の優先権を主張する。
【背景技術】
【０００２】
[0002]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。
【０００３】
[0003]ワイヤレス通信ネットワークは、いくつかのユーザ機器（ＵＥ）のための通信をサポートすることができる、いくつかの基地局またはノード−Ｂを含み得る。ＵＥは、ダウンリンクおよびアップリンクを介して基地局と通信することができる。ダウンリンク（または順方向リンク）は基地局からＵＥへの通信リンクを指し、アップリンク（または逆方向リンク）はＵＥから基地局への通信リンクを指す。
【０００４】
[0004]いくつかのワイヤレス通信システムでは、ユーザ機器（ＵＥ）は、マルチフロー動作と呼ばれることがある技法を使用して、複数のアクセスポイントとの同時接続をサポートすることが可能であり得る。複数のアクセスポイントは、同じまたは異なる無線アクセス技術（ＲＡＴ）に関連付けられ得る。たとえば、ＵＥは、ワイヤレスローカルエリアネットワーク（ＷＬＡＮ）とロングタームエボリューション（ＬＴＥ（登録商標））またはＬＴＥアドバンスト（ＬＴＥ−Ａ）ネットワークとに同時に接続され得る。
【０００５】
[0005]これらのネットワークは、ＵＥによって見られるチャネル条件に通信リンクを適応させることにおいて、ＵＥからのフィードバックを利用するための技法をサポートし得る。たとえば、ＵＥは、各ネットワークにチャネル状態情報（ＣＳＩ）を報告し得、ネットワークは、リンクを介した通信のために使用される様々な通信パラメータを適応させ得る。適応される通信パラメータには、たとえば、変調およびコーディング方式（ＭＣＳ）、ランク、およびダウンリンク送信のためのプリコーディングがあり得る。
【０００６】
[0006]基地局およびＵＥは、それぞれ、互いに通信するときに複数のアンテナを使用し得る。基地局およびＵＥにおける複数のアンテナは、通信品質と信頼性とを改善し得るアンテナダイバーシティ方式を利用するために使用され得る。アンテナダイバーシティ方式を実装するために使用され得る、異なるタイプの技法がある。たとえば、送信ダイバーシティは、単一のデータストリームのための受信機において、信号対雑音比（ＳＮＲ）を高めるために適用され得る。空間ダイバーシティは、複数のアンテナを使用して、複数の独立したストリームを送信することによって、データレートを高めるために適用され得る。受信ダイバーシティは、受信信号品質を改善し、フェージングに対する抵抗を高めるために、複数の受信アンテナにおいて受信された信号を合成するために使用され得る。複数のデータストリームを通信するための複数のアンテナ技術は、多入力多出力（ＭＩＭＯ）通信として知られることがある。
【発明の概要】
【０００７】
[0007]ＵＥおよびネットワークにわたるマルチフロー性能と優先順位とを最適化するための方法と装置とについて説明する。マルチフロー管理は、ＵＥにおける受信アンテナ選択と、ＣＳＩ測定および報告と、マルチフロー動作のためのスケジューリングとを含み得る。これらの技法は、複数のアクセスポイントおよびアンテナの異なる組合せについての、ＵＥのためのチャネル条件を評価し、どのようにＵＥが複数のアクセスポイントからの送信のためにＣＳＩをフィードバックするべきかを決定し得る。開示される技法はまた、ＵＥおよびネットワークにわたるマルチフロー性能と優先順位とを最適化するために、ＣＳＩ情報を使用して、複数のアクセスポイントからの送信をスケジュールするための技法を含む。
【０００８】
[0008]開示される技法は、ＬＴＥネットワークとＷＬＡＮネットワークとを用いるマルチフロー動作において、ＵＥのための優先順位付けとスケジューリングとを実施するための中央スケジューラを使用し得る。中央スケジューラは、ベアラレベルまたはＵＥ論理チャネルレベルにおいて優先順位付けを実施し得る。たとえば、中央スケジューラは、スケジューリング間隔ごとにスケジュールされるべきＵＥのＵＥ論理チャネルの優先リストを形成し得る。優先リストは、スケジュールされるべきＵＥと、それぞれのＵＥ論理チャネルに関連付けられたサービス品質（ＱｏＳ）とに基づいた、順序付けを含み得る。中央スケジューラは、ＵＥからのＣＳＩフィードバックに基づいて、複数のアクセスポイントにわたる複数のＵＥのためのＵＥ論理チャネルを優先順位付けするための様々なオプションを使用し得る。
【０００９】
[0009]第１のスケジューリングモードでは、中央スケジューラは、ＬＴＥリンクおよびＷＬＡＮリンクの最大合計容量に基づいて、第１のリンクおよび第２のリンクのための別個の優先順位を決定し得る。第２のスケジューリングモードでは、中央スケジューラは、ＬＴＥリンクおよびＷＬＡＮリンクの最大合計容量に基づいて、ＬＴＥ  ｅＮＢとＷＬＡＮ  ＡＰの両方にわたる単一の優先順位リストを維持し得、アクセスポイントにわたる広帯域スケジューリングを実施し得る。第３のスケジューリングモードでは、中央スケジューラは、ＬＴＥ  ｅＮＢとＷＬＡＮ  ＡＰとの間の直交スケジューリングを使用し得る。第４のスケジューリングモードでは、中央スケジューラは、ＬＴＥネットワークおよびＷＬＡＮネットワークのための個々の優先順位リストを維持し、ＬＴＥリンクのみを使用する、ＷＬＡＮリンクのみを使用する、または同時にＷＬＡＮリンクとＬＴＥリンクの両方を使用するという、各ＵＥのための３つの受信構成の各々のためのサポートされた通信レートを考慮に入れて、マルチフロー性能を最適化することに基づいて、ＵＥをスケジュールする。
【００１０】
[0010]いくつかの実施形態は、２つ以上のアンテナを有するＵＥによって実施される通信のための方法に向けられ、この方法は、第１の通信チャネルを介した第１のアクセスポイントとの通信のための２つ以上のアンテナのアンテナサブセットの第１のセットを識別することと、第２の通信チャネルを介した第２のアクセスポイントとの通信のための２つ以上のアンテナのアンテナサブセットの第２のセットを識別することと、アンテナサブセットの第１のセットについての第１の通信チャネルのための、および、アンテナサブセットの第２のセットについての第２の通信チャネルのための、チャネル推定値を決定することと、決定されたチャネル推定値に少なくとも部分的に基づいて、チャネルレート情報を報告することと、ここにおいて、報告することが、第１の通信チャネルのための最大レートとアンテナサブセットの第１のセットとに基づく第１のチャネルレートを報告すること、第２の通信チャネルのための最大レートとアンテナサブセットの第２のセットとに基づく第２のチャネルレートを報告すること、第１のアンテナサブセットを使用する第１の通信チャネルの第３のチャネルレートを報告すること、もしくは、第１のアンテナサブセットとは異なる第２のアンテナサブセットを使用する第２の通信チャネルの第４のチャネルレートを報告することのうちの少なくとも１つ、またはそれらの組合せを備え、ここにおいて、第３のチャネルレートおよび第４のチャネルレートが、それぞれ第１のアンテナサブセットと第２のアンテナサブセットとを使用する、第１の通信チャネルと第２の通信チャネルとの最大合計容量に基づく、報告されたチャネルレート情報に基づいて、第１の通信チャネルまたは第２の通信チャネルのうちの少なくとも１つを介して、少なくとも１つの送信を受信することとを含む。いくつかの実施形態では、この方法は、同時に、第１のアンテナサブセットを使用して第１の通信チャネルと、第２のアンテナサブセットを使用して第２の通信チャネルとを受信する能力のインジケータを送ることを含む。いくつかの例では、第１のアクセスポイントはＬＴＥ／ＬＴＥ−Ａ  ｅＮＢであり、第２のアクセスポイントはＷＬＡＮアクセスポイントである。
【００１１】
[0011]いくつかの実施形態では、報告することは、第１のアクセスポイントに、第１の通信チャネルの第３のチャネルレートを報告することを含む。この方法は、第１のアクセスポイントのための第１の負荷重みと、第２のアクセスポイントのための第２の負荷重みとを決定することと、第１の負荷重みと第２の負荷重みとにさらに基づいて、第１の通信チャネルと第２の通信チャネルとの最大合計容量を決定することとを含み得る。
【００１２】
[0012]いくつかの実施形態では、報告することは、第１のアクセスポイントに、第１の通信チャネルのための第１のチャネルレートを報告することを含み、第１の通信チャネルのための第１のチャネルレートは、第１の通信チャネルの最大レートに関連付けられた第３のアンテナサブセットに関連付けられる。少なくとも１つの送信を受信することは、第３のアンテナサブセットを使用して、第１の時間間隔内で第１のアクセスポイントからの送信を受信することと、第２の通信チャネルの最大レートに関連付けられた第４のアンテナサブセットを使用して、第１の時間間隔とは異なる第２の時間間隔内で第２のアクセスポイントからの送信を受信することとを含み得る。
【００１３】
[0013]いくつかの実施形態では、報告することは、第１のアクセスポイントに、第１の通信チャネルの第１のチャネルレートと第３のチャネルレートとを報告することを含む。報告することは、第２のアクセスポイントに、第２の通信チャネルの第２のチャネルレートと第４のチャネルレートとを報告することを含み得る。少なくとも１つの送信を受信することは、第１のアクセスポイントからアンテナ選択インジケータを受信することと、アンテナ選択インジケータが、アンテナ受信構成、アンテナサブセットインデックス、もしくはアンテナサブセットサイズのうちの１つ、またはそれらの組合せを指示する、アンテナ選択インジケータに少なくとも部分的に基づいて、少なくとも１つの送信を受信するためのアンテナサブセットを決定することとを含み得る。アンテナ選択インジケータは、たとえば、制御情報または構成メッセージのうちの１つにおいて受信され得る。
【００１４】
[0014]いくつかの実施形態は、第１のアクセスポイントとＵＥとの間の第１の通信チャネル、および第２のアクセスポイントとＵＥとの間の第２の通信チャネルのための、チャネルレート情報を受信することと、ここにおいて、チャネルレートが、第１の通信チャネルのための最大レートに基づく第１のチャネルレート、第２の通信チャネルのための最大レートに基づく第２のチャネルレート、第１の通信チャネルの第３のチャネルレート、もしくは第２の通信チャネルの第４のチャネルレートのうちの少なくとも１つ、またはそれらの組合せを備え、ここにおいて、第３のチャネルレートおよび第４のチャネルレートが、それぞれ第１のアンテナサブセットと第２の異なるアンテナサブセットとを使用する、第１の通信チャネルと第２の通信チャネルとの最大合計容量に基づく、受信されたチャネルレートに少なくとも部分的に基づいて、第１の通信チャネルおよび第２の通信チャネルのための、ＵＥのためのスケジューリング優先順位メトリックを決定することと、決定されたスケジューリング優先順位メトリックに基づいて、第１のアクセスポイントまたは第２のアクセスポイントのうちの少なくとも１つとＵＥとの間の通信をスケジュールすることとを含む方法に向けられる。この方法は、同時に、第１のアンテナサブセットを使用して第１の通信チャネルと、第２のアンテナサブセットを使用して第２の通信チャネルとを受信する能力のインジケータを受信することを含み得る。
【００１５】
[0015]いくつかの実施形態では、受信されたチャネルレートは、第１の通信チャネルのための第３のチャネルレートを含み、スケジューリング優先順位メトリックを決定することは、第１のアクセスポイントのための、ＵＥのための第１のスケジューリング優先順位メトリックを決定することと、第１のスケジューリング優先順位メトリックから独立して、第２のアクセスポイントのための、ＵＥのための第２のスケジューリング優先順位メトリックを決定することとを含む。
【００１６】
[0016]いくつかの実施形態では、受信されたチャネルレートは、第１の通信チャネルのための第３のチャネルレートを含み、スケジュールすることは、同時に第１のアクセスポイントおよび第２のアクセスポイントとＵＥとの間の通信をスケジュールすることを含む。いくつかの実施形態では、受信されたチャネルレートは、第１の通信チャネルのための第１のチャネルレートを含み、スケジュールすることは、直交リソースを使用して、第１のアクセスポイントおよび第２のアクセスポイントとＵＥとの間の通信をスケジュールすることを含む。
【００１７】
[0017]いくつかの実施形態では、受信されたチャネルレートは、第１の通信チャネルのための第１のチャネルレートと第３のチャネルレートとを含み、ＵＥのためのスケジューリング優先順位メトリックを決定することは、第１のアクセスポイントおよび第２のアクセスポイントの各々について、第１の通信チャネルのための第１のスケジューリング優先順位メトリックと、第２の通信チャネルのための第２のスケジューリング優先順位メトリックと、第１の通信チャネルおよび第２の通信チャネルの同時使用のための第３のスケジューリング優先順位メトリックとを決定することを備える。
【００１８】
[0018]いくつかの実施形態では、この方法は、スケジュールされた通信を受信するための、ＵＥのためのアンテナサブセットメトリックを識別することと、アンテナサブセットメトリックが、アンテナ受信構成、アンテナサブセットインデックス、もしくはアンテナサブセットサイズのうちの１つ、またはそれらの組合せを備える、スケジュールされた通信のためのアンテナ選択のために、ＵＥへアンテナサブセットメトリックを送ることとを含む。
【００１９】
[0019]いくつかの実施形態は、ワイヤレス通信のための装置であって、２つ以上のアンテナを有するＵＥについて、２つ以上のアンテナのアンテナサブセットの第１のセットと、２つ以上のアンテナのアンテナサブセットの第２のセットとを識別するための手段と、アンテナサブセットの第１のセットおよびアンテナサブセットの第２のセットが、それぞれ、第１の通信チャネルを介した第１のアクセスポイントとの、および第２の通信チャネルを介した第２のアクセスポイントとの通信のためである、アンテナサブセットの第１のセットについての第１の通信チャネルのための、および、アンテナサブセットの第２のセットについての第２の通信チャネルのための、チャネル推定値を決定するための手段と、決定されたチャネル推定値に少なくとも部分的に基づいて、チャネルレート情報を報告するための手段と、ここにおいて、報告することが、第１の通信チャネルのための最大レートとアンテナサブセットの第１のセットとに基づく第１のチャネルレートを報告すること、第２の通信チャネルのための最大レートとアンテナサブセットの第２のセットとに基づく第２のチャネルレートを報告すること、第１のアンテナサブセットを使用する第１の通信チャネルの第３のチャネルレートを報告すること、もしくは、第１のアンテナサブセットとは異なる第２のアンテナサブセットを使用する第２の通信チャネルの第４のチャネルレートを報告することのうちの少なくとも１つ、またはそれらの組合せを備え、ここにおいて、第３のチャネルレートおよび第４のチャネルレートが、それぞれ第１のアンテナサブセットと第２のアンテナサブセットとを使用する、第１の通信チャネルと第２の通信チャネルとの最大合計容量に基づく、報告されたチャネルレート情報に基づいて、第１の通信チャネルまたは第２の通信チャネルのうちの少なくとも１つを介して、少なくとも１つの送信を受信するための手段とを含む、装置に向けられる。いくつかの実施形態では、この装置は、同時に、第１のアンテナサブセットを使用して第１の通信チャネルと、第２のアンテナサブセットを使用して第２の通信チャネルとを受信する能力のインジケータを送るための手段を含む。いくつかの例では、第１のアクセスポイントはＬＴＥ／ＬＴＥ−Ａ  ｅＮＢであり、第２のアクセスポイントはＷＬＡＮアクセスポイントである。
【００２０】
[0020]いくつかの実施形態では、報告するための手段は、第１のアクセスポイントに、第１の通信チャネルの第３のチャネルレートを報告する。この装置は、第１のアクセスポイントのための第１の負荷重みと、第２のアクセスポイントのための第２の負荷重みとを決定するための手段と、第１の負荷重みと第２の負荷重みとにさらに基づいて、第１の通信チャネルと第２の通信チャネルとの最大合計容量を決定するための手段とを含み得る。
【００２１】
[0021]いくつかの実施形態では、報告するための手段は、第１のアクセスポイントに、第１の通信チャネルのための第１のチャネルレートを報告し、第１の通信チャネルのための第１のチャネルレートは、第３のアンテナサブセットに関連付けられる。少なくとも１つの送信を受信するための手段は、第３のアンテナサブセットを使用して、第１の時間間隔内で第１のアクセスポイントからの送信を受信し、第２のチャネルレートに関連付けられた第４のアンテナサブセットを使用して、第１の時間間隔とは異なる第２の時間間隔内で第２のアクセスポイントからの送信を受信し得る。
【００２２】
[0022]いくつかの実施形態では、報告するための手段は、第１のアクセスポイントに、第１の通信チャネルの第１のチャネルレートと第３のチャネルレートとを報告する。少なくとも１つの送信を受信するための手段は、第１のアクセスポイントからアンテナ選択インジケータを受信し得、アンテナ選択インジケータが、アンテナ受信構成、アンテナサブセットインデックス、もしくはアンテナサブセットサイズのうちの１つ、またはそれらの組合せを指示し、第１のアンテナサブセットと第２のアンテナサブセットとを識別するための手段は、アンテナ選択インジケータに少なくとも部分的に基づいて、少なくとも１つの送信を受信するためのアンテナサブセットを決定し得る。アンテナ選択インジケータは、たとえば、制御情報または構成メッセージのうちの１つにおいて受信され得る。
【００２３】
[0023]いくつかの実施形態は、ワイヤレス通信のための装置であって、第１のアクセスポイントとＵＥとの間の第１の通信チャネル、および第２のアクセスポイントとＵＥとの間の第２の通信チャネルのための、チャネルレート情報を受信するための手段と、ここにおいて、チャネルレートが、第１の通信チャネルのための最大レートに基づく第１のチャネルレート、第２の通信チャネルのための最大レートに基づく第２のチャネルレート、第１の通信チャネルの第３のチャネルレート、もしくは第２の通信チャネルの第４のチャネルレートのうちの少なくとも１つ、またはそれらの組合せを備え、ここにおいて、第３のチャネルレートおよび第４のチャネルレートが、第１の通信チャネルと第２の通信チャネルとの最大合計容量に基づく、受信されたチャネルレート情報に少なくとも部分的に基づいて、第１の通信チャネルおよび第２の通信チャネルのための、ＵＥのためのスケジューリング優先順位メトリックを決定するための手段と、決定されたスケジューリング優先順位メトリックに基づいて、第１のアクセスポイントまたは第２のアクセスポイントのうちの少なくとも１つとＵＥとの間の通信をスケジュールするための手段とを含む、装置に向けられる。いくつかの実施形態では、受信するための手段は、同時に、第１のアンテナサブセットを使用して第１の通信チャネルと、第２のアンテナサブセットを使用して第２の通信チャネルとを受信する能力のインジケータを受信する。
【００２４】
[0024]いくつかの実施形態では、受信されたチャネルレート情報は、第１の通信チャネルのための第３のチャネルレートを含み、スケジューリング優先順位メトリックを決定するための手段は、第１のアクセスポイントのための、ＵＥのための第１のスケジューリング優先順位メトリックを決定し、第１のスケジューリング優先順位メトリックから独立して、第２のアクセスポイントのための、ＵＥのための第２のスケジューリング優先順位メトリックを決定する。
【００２５】
[0025]いくつかの実施形態では、受信されたチャネルレート情報は、第１の通信チャネルのための第３のチャネルレートを含み、スケジュールするための手段は、同時に第１のアクセスポイントおよび第２のアクセスポイントとＵＥとの間の通信をスケジュールする。いくつかの実施形態では、受信されたチャネルレート情報は、第１の通信チャネルのための第１のチャネルレートを含み、スケジュールするための手段は、直交リソースを使用して、第１のアクセスポイントおよび第２のアクセスポイントとＵＥとの間の通信をスケジュールする。
【００２６】
[0026]いくつかの実施形態では、受信されたチャネルレート情報は、第１の通信チャネルのための第１のチャネルレートと第３のチャネルレートとを含み、ＵＥのためのスケジューリング優先順位メトリックを決定するための手段は、第１のアクセスポイントおよび第２のアクセスポイントの各々について、第１の通信チャネルのための第１のスケジューリング優先順位メトリックと、第２の通信チャネルのための第２のスケジューリング優先順位メトリックと、第１の通信チャネルおよび第２の通信チャネルの同時使用のための第３のスケジューリング優先順位メトリックとを決定する。
【００２７】
[0027]いくつかの実施形態では、この装置は、スケジュールされた通信を受信するための、ＵＥのためのアンテナサブセットメトリックを識別するための手段と、アンテナサブセットメトリックが、アンテナ受信構成、アンテナサブセットインデックス、もしくはアンテナサブセットサイズのうちの１つ、またはそれらの組合せを備える、スケジュールされた通信のためのアンテナ選択のために、ＵＥへアンテナサブセットメトリックを送るための手段とを含む。
【００２８】
[0028]いくつかの実施形態は、ワイヤレス通信のためのデバイスであって、プロセッサと、プロセッサと電子通信しているメモリと、メモリが命令を具現化し、命令が、２つ以上のアンテナを有するユーザ機器について、第１の通信チャネルを介した第１のアクセスポイントとの通信のためのアンテナサブセットの第１のセットを識別することと、第２の通信チャネルを介した第２のアクセスポイントとの通信のための２つ以上のアンテナのアンテナサブセットの第２のセットを識別することと、アンテナサブセットの第１のセットについての第１の通信チャネルのための、および、アンテナサブセットの第２のセットについての第２の通信チャネルのための、チャネル推定値を決定することと、決定されたチャネル推定値に少なくとも部分的に基づいて、チャネルレート情報を報告することと、ここにおいて、報告することが、第１の通信チャネルのための最大レートとアンテナサブセットの第１のセットとに基づく第１のチャネルレートを報告すること、第２の通信チャネルのための最大レートとアンテナサブセットの第２のセットとに基づく第２のチャネルレートを報告すること、第１のアンテナサブセットを使用する第１の通信チャネルの第３のチャネルレートを報告すること、もしくは、第１のアンテナサブセットとは異なる第２のアンテナサブセットを使用する第２の通信チャネルの第４のチャネルレートを報告することのうちの少なくとも１つ、またはそれらの組合せを備え、ここにおいて、第３のチャネルレートおよび第４のチャネルレートが、それぞれ第１のアンテナサブセットと第２のアンテナサブセットとを使用する、第１の通信チャネルと第２の通信チャネルとの最大合計容量に基づく、報告されたチャネルレート情報に基づいて、第１の通信チャネルまたは第２の通信チャネルのうちの少なくとも１つを介して、少なくとも１つの送信を受信することとを行うように、プロセッサによって実行可能である、を含むデバイスに向けられる。
【００２９】
[0029]いくつかの実施形態では、メモリは、第１のアクセスポイントに、第１の通信チャネルの第３のチャネルレートを報告することを行うように、プロセッサによって実行可能な命令を含む。メモリは、第１のアクセスポイントのための第１の負荷重みと、第２のアクセスポイントのための第２の負荷重みとを決定することと、第１の負荷重みと第２の負荷重みとにさらに基づいて、第１の通信チャネルと第２の通信チャネルとの最大合計容量を決定することとを行うように、プロセッサによって実行可能な命令を含み得る。
【００３０】
[0030]いくつかの実施形態では、メモリは、第１のアクセスポイントに、第１の通信チャネルのための第１のチャネルレートを報告することと、第１の通信チャネルのための第１のチャネルレートが、第１の通信チャネルの最大レートに関連付けられた第３のアンテナサブセットに関連付けられる、第３のアンテナサブセットを使用して、第１の時間間隔内で第１のアクセスポイントからの送信を受信することと、第２の通信チャネルの最大レートに関連付けられた第４のアンテナサブセットを使用して、第１の時間間隔とは異なる第２の時間間隔内で第２のアクセスポイントからの送信を受信することとを行うように、プロセッサによって実行可能な命令を含む。
【００３１】
[0031]いくつかの実施形態では、メモリは、第１のアクセスポイントに、第１の通信チャネルの第１のチャネルレートと第３のチャネルレートとを報告することを行うように、プロセッサによって実行可能な命令を含む。メモリは、第１のアクセスポイントからアンテナ選択インジケータを受信することと、アンテナ選択インジケータが、アンテナ受信構成、アンテナサブセットインデックス、もしくはアンテナサブセットサイズのうちの１つ、またはそれらの組合せを指示する、アンテナ選択インジケータに少なくとも部分的に基づいて、少なくとも１つの送信を受信するためのアンテナサブセットを決定することとを行うように、プロセッサによって実行可能な命令を含み得る。
【００３２】
[0032]いくつかの実施形態は、ワイヤレス通信のためのデバイスであって、プロセッサと、プロセッサと電子通信しているメモリと、メモリが命令を具現化し、命令が、第１のアクセスポイントとＵＥとの間の第１の通信チャネル、および第２のアクセスポイントとＵＥとの間の第２の通信チャネルのための、チャネルレート情報を受信することと、ここにおいて、チャネルレートが、第１の通信チャネルのための最大レートに基づく第１のチャネルレート、第２の通信チャネルのための最大レートに基づく第２のチャネルレート、第１の通信チャネルの第３のチャネルレート、もしくは第２の通信チャネルの第４のチャネルレートのうちの少なくとも１つ、またはそれらの組合せを備え、ここにおいて、第３のチャネルレートおよび第４のチャネルレートが、第１の通信チャネルと第２の通信チャネルとの最大合計容量に基づく、受信されたチャネルレートに少なくとも部分的に基づいて、第１の通信チャネルおよび第２の通信チャネルのための、ＵＥのためのスケジューリング優先順位メトリックを決定することと、決定されたスケジューリング優先順位メトリックに基づいて、第１のアクセスポイントまたは第２のアクセスポイントのうちの少なくとも１つとＵＥとの間の通信をスケジュールすることとを行うように、プロセッサによって実行可能である、を含むデバイスに向けられる。
【００３３】
[0033]いくつかの実施形態では、受信されたチャネルレートは、第１の通信チャネルのための第３のチャネルレートを含み、メモリは、第１のアクセスポイントのための、ＵＥのための第１のスケジューリング優先順位メトリックを決定することと、第１のスケジューリング優先順位メトリックから独立して、第２のアクセスポイントのための、ＵＥのための第２のスケジューリング優先順位メトリックを決定することとを行うように、プロセッサによって実行可能な命令を含む。
【００３４】
[0034]いくつかの実施形態では、受信されたチャネルレートは、第１の通信チャネルのための第３のチャネルレートを含み、メモリは、同時に第１のアクセスポイントおよび第２のアクセスポイントとＵＥとの間の通信をスケジュールすることを行うように、プロセッサによって実行可能である命令を含む。いくつかの実施形態では、受信されたチャネルレートは、第１の通信チャネルのための第１のチャネルレートを含み、メモリは、直交リソースを使用して、第１のアクセスポイントおよび第２のアクセスポイントとＵＥとの間の通信をスケジュールすることを行うように、プロセッサによって実行可能な命令を含む。
【００３５】
[0035]いくつかの実施形態では、受信されたチャネルレートは、第１の通信チャネルのための第１のチャネルレートと第３のチャネルレートとを含み、メモリは、第１のアクセスポイントおよび第２のアクセスポイントの各々について、第１の通信チャネルのための第１のスケジューリング優先順位メトリックと、第２の通信チャネルのための第２のスケジューリング優先順位メトリックと、第１の通信チャネルおよび第２の通信チャネルの同時使用のための第３のスケジューリング優先順位メトリックとを決定することを行うように、プロセッサによって実行可能である命令を含む。
【００３６】
[0036]いくつかの実施形態では、メモリは、スケジュールされた通信を受信するための、ＵＥのためのアンテナサブセットメトリックを識別することと、アンテナサブセットメトリックが、アンテナ受信構成、アンテナサブセットインデックス、もしくはアンテナサブセットサイズのうちの１つ、またはそれらの組合せを含む、スケジュールされた通信のためのアンテナ選択のために、ＵＥへアンテナサブセットメトリックを送ることとを行うように、プロセッサによって実行可能な命令を含む。
【００３７】
[0037]いくつかの実施形態は、ワイヤレス通信のためのコンピュータプログラム製品であって、２つ以上のアンテナを有するＵＥについて、第１の通信チャネルを介した第１のアクセスポイントとの通信のための２つ以上のアンテナのアンテナサブセットの第１のセットを識別することと、第２の通信チャネルを介した第２のアクセスポイントとの通信のための２つ以上のアンテナのアンテナサブセットの第２のセットを識別することと、アンテナサブセットの第１のセットについての第１の通信チャネルのための、および、アンテナサブセットの第２のセットについての第２の通信チャネルのための、チャネル推定値を決定することと、決定されたチャネル推定値に少なくとも部分的に基づいて、チャネルレート情報を報告することと、ここにおいて、報告することが、第１の通信チャネルのための最大レートとアンテナサブセットの第１のセットとに基づく第１のチャネルレートを報告すること、第２の通信チャネルのための最大レートとアンテナサブセットの第２のセットとに基づく第２のチャネルレートを報告すること、第１のアンテナサブセットを使用する第１の通信チャネルの第３のチャネルレートを報告すること、もしくは、第１のアンテナサブセットとは異なる第２のアンテナサブセットを使用する第２の通信チャネルの第４のチャネルレートを報告することのうちの少なくとも１つ、またはそれらの組合せを備え、ここにおいて、第３のチャネルレートおよび第４のチャネルレートが、それぞれ第１のアンテナサブセットと第２のアンテナサブセットとを使用する、第１の通信チャネルと第２の通信チャネルとの最大合計容量に基づく、報告されたチャネルレート情報に基づいて、第１の通信チャネルまたは第２の通信チャネルのうちの少なくとも１つを介して、少なくとも１つの送信を受信することとを行うためのコードを含む、非一時的コンピュータ可読媒体を含む、コンピュータプログラム製品に向けられる。
【００３８】
[0038]いくつかの実施形態では、非一時的コンピュータ可読媒体は、第１のアクセスポイントに、第１の通信チャネルの第３のチャネルレートを報告することを行うためのコードを含む。非一時的コンピュータ可読媒体は、第１のアクセスポイントのための第１の負荷重みと、第２のアクセスポイントのための第２の負荷重みとを決定することと、第１の負荷重みと第２の負荷重みとにさらに基づいて、第１の通信チャネルと第２の通信チャネルとの最大合計容量を決定することとを行うためのコードを含み得る。
【００３９】
[0039]いくつかの実施形態では、非一時的コンピュータ可読媒体は、第１のアクセスポイントに、第１の通信チャネルのための第１のチャネルレートを報告することと、第１の通信チャネルのための第１のチャネルレートが、第１の通信チャネルの最大レートに関連付けられた第３のアンテナサブセットに関連付けられる、第３のアンテナサブセットを使用して、第１の時間間隔内で第１のアクセスポイントからの送信を受信することと、第２の通信チャネルの最大レートに関連付けられた第４のアンテナサブセットを使用して、第１の時間間隔とは異なる第２の時間間隔内で第２のアクセスポイントからの送信を受信することとを行うためのコードを含む。
【００４０】
[0040]いくつかの実施形態では、非一時的コンピュータ可読媒体は、第１のアクセスポイントに、第１の通信チャネルの第１のチャネルレートと第３のチャネルレートとを報告することを行うためのコードを含む。非一時的コンピュータ可読媒体は、第１のアクセスポイントからアンテナ選択インジケータを受信することと、アンテナ選択インジケータが、アンテナ受信構成、アンテナサブセットインデックス、もしくはアンテナサブセットサイズのうちの１つ、またはそれらの組合せを指示する、アンテナ選択インジケータに少なくとも部分的に基づいて、少なくとも１つの送信を受信するためのアンテナサブセットを決定することとを行うためのコードを含み得る。
【００４１】
[0041]いくつかの実施形態は、ワイヤレス通信のためのコンピュータプログラム製品であって、第１のアクセスポイントとＵＥとの間の第１の通信チャネル、および第２のアクセスポイントとＵＥとの間の第２の通信チャネルのための、チャネルレート情報を受信することと、ここにおいて、チャネルレートが、第１の通信チャネルのための最大レートに基づく第１のチャネルレート、第２の通信チャネルのための最大レートに基づく第２のチャネルレート、第１の通信チャネルの第３のチャネルレート、もしくは第２の通信チャネルの第４のチャネルレートのうちの少なくとも１つ、またはそれらの組合せを備え、ここにおいて、第３のチャネルレートおよび第４のチャネルレートが、第１の通信チャネルと第２の通信チャネルとの最大合計容量に基づく、受信されたチャネルレートに少なくとも部分的に基づいて、第１の通信チャネルおよび第２の通信チャネルのための、ＵＥのためのスケジューリング優先順位メトリックを決定することと、決定されたスケジューリング優先順位メトリックに基づいて、第１のアクセスポイントまたは第２のアクセスポイントのうちの少なくとも１つとＵＥとの間の通信をスケジュールすることとを行うためのコードを含む、非一時的コンピュータ可読媒体を含む、コンピュータプログラム製品に向けられる。いくつかの実施形態では、非一時的コンピュータ可読媒体は、スケジュールされた通信を受信するための、ＵＥのためのアンテナサブセットメトリックを識別することと、アンテナサブセットメトリックが、アンテナ受信構成、アンテナサブセットインデックス、もしくはアンテナサブセットサイズのうちの１つ、またはそれらの組合せを備える、スケジュールされた通信のためのアンテナ選択のために、ＵＥへアンテナサブセットメトリックを送ることとを行うためのコードを含む。
【００４２】
[0042]いくつかの実施形態では、受信されたチャネルレートは、第１の通信チャネルのための第３のチャネルレートを含み、非一時的コンピュータ可読媒体は、第１のアクセスポイントのための、ＵＥのための第１のスケジューリング優先順位メトリックを決定することと、第１のスケジューリング優先順位メトリックから独立して、第２のアクセスポイントのための、ＵＥのための第２のスケジューリング優先順位メトリックを決定することとを行うためのコードを含む。
【００４３】
[0043]いくつかの実施形態では、受信されたチャネルレートは、第１の通信チャネルのための第３のチャネルレートを含み、非一時的コンピュータ可読媒体は、同時に第１のアクセスポイントおよび第２のアクセスポイントとＵＥとの間の通信をスケジュールすることを行うためのコードを含む。いくつかの実施形態では、受信されたチャネルレートは、第１の通信チャネルのための第１のチャネルレートを含み、コンピュータ可読媒体は、直交リソースを使用して、第１のアクセスポイントおよび第２のアクセスポイントとＵＥとの間の通信をスケジュールすることを行うためのコードを含む。
【００４４】
[0044]いくつかの実施形態では、受信されたチャネルレートは、第１の通信チャネルのための第１のチャネルレートと第３のチャネルレートとを含み、非一時的コンピュータ可読媒体は、第１のアクセスポイントおよび第２のアクセスポイントの各々について、第１の通信チャネルのための第１のスケジューリング優先順位メトリックと、第２の通信チャネルのための第２のスケジューリング優先順位メトリックと、第１の通信チャネルおよび第２の通信チャネルの同時使用のための第３のスケジューリング優先順位メトリックとを決定することを行うためのコードをさらに備える。
【００４５】
[0045]上記では、以下の発明を実施するための形態がより良く理解され得るように、本開示による例の特徴および技術的利点についてやや広く概説した。さらなる特徴および利点について、以下で説明する。開示される概念および具体例は、本開示の同じ目的を遂行するための他の構造を変更または設計するための基礎として容易に利用され得る。そのような等価な構成は、添付の特許請求の範囲の趣旨および範囲から逸脱しない。関連する利点とともに、本明細書で開示される概念の編成と動作の方法の両方に関して、それらの概念を特徴づけると考えられる特徴は、添付の図に関連して以下の説明を検討するとより良く理解されよう。図の各々は、例示および説明のみの目的で提供され、特許請求の範囲を定めるものではない。
【００４６】
[0046]以下の図面を参照することにより、本発明の性質および利点のさらなる理解が得られ得る。添付の図において、同様の構成要素または特徴は同じ参照ラベルを有し得る。さらに、同じタイプの様々な構成要素は、参照ラベルの後に、ダッシュと、それらの同様の構成要素同士を区別する第２のラベルとを続けることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図面の簡単な説明】
【００４７】
【図１】[0047]ワイヤレス通信システムの一例の図。
【図２】[0048]ワイヤレス通信システムの一例の図。
【図３】[0049]ワイヤレス通信システムの一例の図。
【図４】[0050]マルチアンテナ受信機の図。
【図５】[0051]図４のＲＦモジュールの一例であり得るＲＦモジュールを示す図。
【図６】[0052]複数のアクセスポイントを用いるマルチフロー動作のためのプロトコルスタックの図。
【図７】[0053]マルチフロー動作をサポートするシステムによって実装されるような、ネットワークレイヤと中央スケジューラモジュールとの間の対話のブロック図。
【図８】[0054]アンテナ選択によるマルチフローにおける優先順位付けをスケジュールするためのメッセージ流れ図。
【図９】[0055]複数のリンクを同時に受信するための例示的なアンテナ構成の表を示す図。
【図１０】[0056]完全なチャネルレートフィードバックを使用する集中型スケジューリングを採用するシステムにおける、ＵＥのためのアンテナ選択のタイミング図。
【図１１】[0057]マルチフロー動作におけるアンテナ選択を実施するためのデバイスを示す図。
【図１２】[0058]マルチフロー動作におけるＣＱＩを報告するためのＣＱＩ報告モジュールの一実施形態を示す図。
【図１３】[0059]基地局とモバイルデバイスまたはＵＥとを含む、ＭＩＭＯ通信システムのブロック図。
【図１４】[0060]マルチフロー動作におけるアンテナ選択のために構成されたモバイルデバイスのブロック図。
【図１５】[0061]アンテナ選択を使用するマルチフロー動作のために構成され得る通信システムのブロック図。
【図１６】[0062]様々な実施形態による、マルチフロー動作におけるアンテナ選択およびＣＱＩ報告のための例示的な方法の流れ図。
【図１７】[0063]マルチフロー動作におけるアンテナ選択を用いるスケジューリングのための例示的な方法の流れ図。
【図１８】[0064]マルチフロー動作におけるアンテナ選択を用いるスケジューリングのための例示的な方法の流れ図。
【図１９】[0065]マルチフロー動作におけるアンテナ選択を用いるスケジューリングのための例示的な方法の流れ図。
【発明を実施するための形態】
【００４８】
[0066]説明される実施形態は、ＵＥおよびネットワークにわたるマルチフロー性能と優先順位とを最適化するためのシステムと方法とに向けられている。マルチフロー管理は、ＵＥにおける受信アンテナ選択と、ＣＳＩ測定および報告と、マルチフロー動作のためのスケジューリングとを含み得る。これらの技法は、複数のアクセスポイントおよびアンテナの異なる組合せについての、ＵＥのためのチャネル条件を評価し、どのようにＵＥが複数のアクセスポイントからの送信のためにＣＳＩをフィードバックするべきかを決定し得る。開示される技法はまた、ＵＥおよびネットワークにわたるマルチフロー性能と優先順位とを最適化するために、ＣＳＩ情報を使用して、複数のアクセスポイントからの送信をスケジュールするための技法を含む。
【００４９】
[0067]開示される技法は、ＬＴＥネットワークとＷＬＡＮネットワークとを用いるマルチフロー動作において、ＵＥのための優先順位付けとスケジューリングとを実施するための中央スケジューラを使用し得る。中央スケジューラは、ベアラレベルまたはＵＥ論理チャネルレベルにおいて優先順位付けを実施し得る。たとえば、中央スケジューラは、スケジューリング間隔ごとにスケジュールされるべきＵＥのＵＥ論理チャネルの優先リストを形成し得る。優先リストは、スケジュールされるべきＵＥと、それぞれのＵＥ論理チャネルに関連付けられたサービス品質（ＱｏＳ）とに基づいた、順序付けを含み得る。中央スケジューラは、ＵＥからのＣＳＩフィードバックに基づいて、複数のアクセスポイントにわたる複数のＵＥのためのＵＥ論理チャネルを優先順位付けするための様々なオプションを使用し得る。
【００５０】
[0068]第１のスケジューリングモードでは、中央スケジューラは、ＬＴＥリンクおよびＷＬＡＮリンクの最大合計容量に基づいて、第１のリンクおよび第２のリンクのための別個の優先順位を決定し得る。第２のスケジューリングモードでは、中央スケジューラは、ＬＴＥリンクおよびＷＬＡＮリンクの最大合計容量に基づいて、ＬＴＥ  ｅＮＢとＷＬＡＮ  ＡＰの両方にわたる単一の優先順位リストを維持し得、アクセスポイントにわたる広帯域スケジューリングを実施し得る。第３のスケジューリングモードでは、中央スケジューラは、ＬＴＥ  ｅＮＢとＷＬＡＮ  ＡＰとの間の直交スケジューリングを使用し得る。第４のスケジューリングモードでは、中央スケジューラは、ＬＴＥネットワークおよびＷＬＡＮネットワークのための個々の優先順位リストを維持し、ＬＴＥリンクのみを使用する、ＷＬＡＮリンクのみを使用する、または同時にＷＬＡＮリンクとＬＴＥリンクの両方を使用するという、各ＵＥのための３つの受信構成の各々のためのサポートされた通信レートを考慮に入れて、マルチフロー性能を最適化することに基づいて、ＵＥをスケジュールする。
【００５１】
[0069]本明細書で説明される技法は、セルラーワイヤレスシステム、ピアツーピアワイヤレス通信、ワイヤレスローカルアクセスネットワーク（ＷＬＡＮ）、アドホックネットワーク、衛星通信システム、および他のシステムなど、様々なワイヤレス通信システムのために使用され得る。「システム」および「ネットワーク」という用語は、しばしば互換的に使用される。これらのワイヤレス通信システムは、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、および／または他の無線技術など、様々な無線通信技術を採用し得る。一般に、ワイヤレス通信は、無線アクセス技術（ＲＡＴ）と呼ばれる１つまたは複数の無線通信技術の標準化された実装形態に従って行われる。無線アクセス技術を実装するワイヤレス通信システムまたはネットワークは無線アクセスネットワーク（ＲＡＮ）と呼ばれることがある。
【００５２】
[0070]ＣＤＭＡ技法を採用する無線アクセス技術の例には、ＣＤＭＡ２０００、ユニバーサル地上無線アクセス（ＵＴＲＡ）などが含まれる。ＣＤＭＡ２０００は、ＩＳ−２０００規格と、ＩＳ−９５規格と、ＩＳ−８５６規格とをカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））およびＣＤＭＡの他の変形態を含む。ＴＤＭＡシステムの例としては、モバイル通信用グローバルシステム（ＧＳＭ（登録商標））の様々な実装形態がある。ＯＦＤＭおよび／またはＯＦＤＭＡを採用する無線アクセス技術の例としては、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどがある。ＵＴＲＡおよびＥ−ＵＴＲＡは、ユニバーサルモバイルテレコミュニケーションシステム（ＵＭＴＳ）の一部である。３ＧＰＰ（登録商標）ロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の組織からの文書に記載されている。ＣＤＭＡ２０００およびＵＭＢは、「第３世代パートナーシッププロジェクト２」（３ＧＰＰ２）という名称の組織からの文書に記載されている。本明細書で説明される技法は、上記のシステムおよび無線技術、ならびに他のシステムおよび無線技術に使用され得る。
【００５３】
[0071]したがって、以下の説明は、例を与えるものであり、特許請求の範囲において記載される範囲、適用性、または構成を限定するものではない。本開示の趣旨および範囲から逸脱することなく、説明される要素の機能および構成において変更が行われ得る。様々な実施形態は、適宜に様々な手順または構成要素を省略、置換、または追加し得る。たとえば、説明される方法は、説明される順序とは異なる順序で実施されてよく、様々なステップが追加、省略、または組み合わされてよい。また、いくつかの実施形態に関して説明される特徴は、他の実施形態において組み合わせられ得る。
【００５４】
[0072]最初に図１を参照すると、図は、ワイヤレス通信システム１００の一例を示している。システム１００は、基地局（またはセル）１０５と、通信デバイス１１５と、コアネットワーク１３０とを含む。基地局１０５は、様々な実施形態ではコアネットワーク１３０または基地局１０５の一部であり得る、基地局コントローラ（図示せず）の制御下で通信デバイス１１５と通信し得る。基地局１０５は、バックホールリンク１３２を介して制御情報および／またはユーザデータをコアネットワーク１３０と通信し得る。実施形態では、基地局１０５は、ワイヤードまたはワイヤレス通信リンクであり得るバックホールリンク１３４を介して、直接的または間接的のいずれかで、互いに通信し得る。システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明された様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。
【００５５】
[0073]基地局１０５は、１つまたは複数の基地局アンテナを介してデバイス１１５とワイヤレス通信し得る。基地局１０５サイトの各々は、それぞれの地理的エリア１１０に通信カバレージを与え得る。いくつかの実施形態では、基地局１０５は、基地トランシーバ局、無線基地局、アクセスポイント、無線トランシーバ、ノードＢ、ｅノードＢ（ｅＮＢ）、ホームノードＢ、ホームｅノードＢ、またはいくつかの他の好適な用語で呼ばれることがある。基地局のためのカバレージエリア１１０は、カバレージエリアの一部分のみを構成するセクタ（図示せず）に分割され得る。システム１００は、異なるタイプの基地局１０５（たとえば、マクロ基地局、マイクロ基地局、および／またはピコ基地局）を含み得る。異なる技術のための重複するカバレージエリアがあり得る。
【００５６】
[0074]実施形態では、システム１００は、ＩＥＥＥ８０２．１１ネットワークなど、１つまたは複数のＷＬＡＮネットワークまたはＷｉ−Ｆｉネットワークを含む。ＷＬＡＮネットワークは、１つまたは複数のアクセスポイント（ＡＰ）１３５を含み得る。デバイス１１５は、アクセスポイント１３５を介してＷＬＡＮネットワークに接続することが可能であり得る。各ＷＬＡＮ  ＡＰ１３５は、そのエリア内のデバイス１１５がＷＬＡＮ  ＡＰ１３５と典型的に通信することができるような、カバレージエリア１４０を有する。ＷＬＡＮネットワークに言及するとき、デバイス１１５は、ワイヤレス局、局（ＳＴＡ）、または移動局（ＭＳ）と呼ばれることがある。図１に図示されていないが、デバイス１１５は、２つ以上のＷＬＡＮ  ＡＰ１３５によってカバーされてよく、したがって、どれがより好適な接続を与えるかに応じて、異なる時間に異なるＡＰに関連付けることができる。単一のアクセスポイント１３５、および局１１５の関連付けられたセットは、基本サービスセット（ＢＳＳ）と呼ばれることがある。拡張サービスセット（ＥＳＳ）は、接続されたＢＳＳのセットであり、配信システム（ＤＳ）（図示せず）が、拡張サービスセット内のアクセスポイントを接続するために使用される。
【００５７】
[0075]実施形態では、システム１００は、ＬＴＥ／ＬＴＥ−Ａネットワークを含む。ＬＴＥ／ＬＴＥ−Ａネットワークでは、発展型ノードＢ（ｅＮＢ）およびユーザ機器（ＵＥ）という用語は、概して、それぞれ基地局１０５およびデバイス１１５について説明するために使用され得る。システム１００は、異なるタイプのｅＮＢが様々な地理的領域にカバレージを与える、異種ＬＴＥ／ＬＴＥ−Ａネットワークであり得る。たとえば、各ｅＮＢ１０５は、マクロセル、ピコセル、フェムトセル、および／または他のタイプのセルに通信カバレージを与え得る。マクロセルは、概して、比較的大きい地理的エリア（たとえば、半径数キロメートル）をカバーし、ネットワークプロバイダのサービスに加入しているＵＥによる無制限アクセスを可能にし得る。ピコセルは、概して、比較的小さい地理的エリアをカバーすることになり、ネットワークプロバイダのサービスに加入しているＵＥによる無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による制限付きアクセスをも可能にし得る。マクロセルのためのｅＮＢは、マクロｅＮＢと呼ばれることがある。ピコセルのためのｅＮＢは、ピコｅＮＢと呼ばれることがある。また、フェムトセルのためのｅＮＢは、フェムトｅＮＢまたはホームｅＮＢと呼ばれることがある。ｅＮＢは、１つまたは複数の（たとえば、２つ、３つ、４つなどの）セルをサポートし得る。
【００５８】
[0076]コアネットワーク１３０は、バックホール１３２（たとえば、Ｓ１など）を介してｅＮＢ１０５と通信し得る。ｅＮＢ１０５はまた、たとえば、バックホールリンク１３４（たとえば、Ｘ２など）を介しておよび／またはバックホールリンク１３２を介して（たとえば、コアネットワーク１３０を介して）、直接的または間接的に、互いに通信し得る。ワイヤレスネットワーク１００は同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明される技法は、同期動作または非同期動作のいずれかに対して使用され得る。
【００５９】
[0077]ＵＥ１１５はワイヤレスネットワーク１００全体にわたって分散され、各ＵＥは固定またはモバイルであり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。
【００６０】
[0078]様々な開示される実施形態のいくつかに適応し得る通信ネットワークは、階層化プロトコルスタックに従って動作するパケットベースネットワークであり得る。たとえば、ベアラまたはパケットデータコンバージェンスプロトコル（ＰＤＣＰ）レイヤでの通信は、ＩＰベースであり得る。無線リンク制御（ＲＬＣ）レイヤは、論理チャネルを介して通信するために、パケットセグメンテーションとリアセンブリとを実施し得る。媒体アクセス制御（ＭＡＣ）レイヤは、優先順位処理と、トランスポートチャネルへの論理チャネルの多重化とを実施し得る。ＭＡＣレイヤはまた、リンク効率を改善するためにＭＡＣレイヤにおいて再送信を行うためにハイブリッドＡＲＱ（ＨＡＲＱ）を使用し得る。物理レイヤで、トランスポートチャネルは物理チャネルにマッピングされ得る。
【００６１】
[0079]ネットワーク１００中に示された送信リンク１２５は、モバイルデバイス１１５から基地局１０５もしくはＷＬＡＮ  ＡＰ１３５へのアップリンク（ＵＬ）送信、および／または基地局１０５もしくはＷＬＡＮ  ＡＰ１３５からモバイルデバイス１１５へのダウンリンク（ＤＬ）送信を含み得る。ダウンリンク送信は順方向リンク送信と呼ばれることもあり、一方アップリンク送信は逆方向リンク送信と呼ばれることもある。システム１００のいくつかの実施形態では、基地局１０５、ＷＬＡＮ  ＡＰ１３５、および／またはモバイルデバイス１１５は、アクセスポイント１０５、１３５とモバイルデバイス１１５との間の通信品質と信頼性とを改善するために、アンテナダイバーシティ方式を採用するために、複数のアンテナを含み得る。追加または代替として、アクセスポイント１０５、１３５、および／またはモバイルデバイス１１５は、以下でより詳細に説明されるような多入力多出力（ＭＩＭＯ）技法を採用し得る。
【００６２】
[0080]ＵＥ１１５は、マルチモードデバイスであり得、マルチフロー動作と呼ばれることがある、異なる無線アクセス技術（ＲＡＴ）を用いる接続を同時にサポートすることが可能であり得る。たとえば、ＵＥ１１５は、同じ時間にＬＴＥ  ｅＮＢ１０５とＷＬＡＮアクセスポイント１３５の両方との通信を送信および受信することを含む、同時リンクを確立および維持することが可能であり得る。システム１００は、パケットレベルまたはベアラレベルにおいてマルチフロー通信を管理するように構成され得る。パケットレベルのマルチフロー動作では、ＬＴＥとＷＬＡＮ  ＲＡＴの両方を介して送信されるべきパケットを与える、単一のＲＬＣレイヤが、ＵＥ１１５のために維持され得る。ベアラレベルのマルチフロー動作では、ＵＥ１１５のために確立された個々のベアラが、ＬＴＥネットワークまたはＷＬＡＮネットワークのいずれかに割り当てられてよく、ベアラは、それらの割り当てられたリンクのためのパケットを与え得る。いくつかの例では、１つまたは複数のＬＴＥ  ｅＮＢ１０５は、１つまたは複数のＷＬＡＮアクセスポイント１３５とともにコロケートされ得る。
【００６３】
[0081]次に図２を参照すると、ワイヤレス通信システム２００の図が示されている。ワイヤレス通信システム２００は、重複するカバレージエリアをもつ、１つまたは複数のＬＴＥ／ＬＴＥ−Ａネットワークと、１つまたは複数のＷＬＡＮネットワークとを含み得る。ＬＴＥ／ＬＴＥ−Ａネットワークは、発展型パケットコア（ＥＰＣ）１３０−ａと、Ｅ−ＵＴＲＡＮ２０５を構成する１つまたは複数のｅＮＢ１０５とを含み得る。ＷＬＡＮネットワークは、１つまたは複数のＷＬＡＮ  ＡＰ１３５を含み得る。
【００６４】
[0082]ＵＥ１１５は、ＬＴＥ／ＬＴＥ−ＡネットワークまたはＷＬＡＮネットワークを介して、パケットデータネットワーク（ＰＤＮ）２５０と通信することが可能であり得る。ＰＤＮ２５０は、インターネット、イントラネット、ＩＰマルチメディアサブシステム（ＩＭＳ）、パケット交換（ＰＳ）ストリーミングサービス（ＰＳＳ）、および／または他のタイプのＰＤＮを含み得る。
【００６５】
[0083]発展型パケットコア１３０−ａは、いくつかのモビリティ管理エンティティ／サービングゲートウェイ（ＭＭＥ／ＳＧＷ）ノード２４０と、いくつかのパケットデータネットワーク（ＰＤＮ）ゲートウェイ（ＰＤＮ−ＧＷ）／発展型パケットデータゲートウェイ２４５とを含み得る。ＭＭＥ／ＳＧＷノード２４０の各々は、３ＧＰＰ団体によって規格化された発展型パケットシステム（ＥＰＳ）アーキテクチャによって定義されるように、モバイル管理エンティティ（ＭＭＥ）とサービングゲートウェイ（ＳＧＷ）の両方を実装し得る。代替的に、ＭＭＥおよびＳＧＷは、別個のデバイスによって実装され得る。ＭＭＥは、ＵＥ１１５とＥＰＣ１３０−ａとの間のシグナリングを処理する制御ノードであり得る。概して、ＭＭＥは、ＨＳＳ２５５とともにベアラおよび接続管理を与え得る。ＨＳＳ２５５は、ユーザ関連情報と加入者関連情報とを含むデータベースである。ＨＳＳ２５５はまた、モビリティ管理、呼およびセッションセットアップ、ユーザ認証、およびアクセス許可におけるサポート機能を与える。ＭＭＥは、したがって、ＵＥ１１５のためにアイドルモードＵＥトラッキングおよびページングと、ベアラアクティブ化および非アクティブ化と、ＳＧＷ選択とを担当し得る。ＭＭＥは、ＵＥ１１５をさらに認証し、ＵＥ１１５との非アクセス層（ＮＡＳ）シグナリングを実装し得る。
【００６６】
[0084]すべてのユーザＩＰパケットはサービングゲートウェイを通して転送され得、サービングゲートウェイはＰＤＮ−ＧＷ／ｅＰＤＧノード２４５に接続され得る。ＳＧＷは、ユーザプレーン中に存在し、ｅＮＢ間ハンドオーバと、異なるアクセス技術間のハンドオーバとのためのモビリティアンカーとして働き得る。ＰＤＮ−ＧＷ／ｅＰＤＧノード２４５は、ＥＰＣ１３０−ａとの信頼できない非３ＧＰＰアクセスを与え得る。たとえば、ＰＤＮ−ＧＷ／ｅＰＤＧノード２４５は、信頼できない非３ＧＰＰアクセスを介したＵＥ１１５との接続のインターネットプロトコルセキュリティ（ＩＰｓｅｃ）トンネリングなど、セキュリティ機構を与え得る。
【００６７】
[0085]説明されたように、ｅＮＢ１０５は、ＭＭＥ／ＳＧＷ２４０と通信することによって、直接、発展型パケットコア１３０−ａにアクセスし得る。ＷＬＡＮ  ＡＰ１３５は、非３ＧＰＰアクセスを介して接続されたＵＥ１１５−ａとのデータ送信をセキュアにするように構成され得る、ＰＤＮ−ＧＷ／ｅＰＤＧ２４５を通して発展型パケットコア１３０−ａにアクセスし得る。したがって、ＰＤＮ−ＧＷ／ｅＰＤＧ２４５は、ＵＥ１１５に関連付けられたＩＰｓｅｃトンネルの終端ノードとして働き得る。
【００６８】
[0086]ＵＥ１１５−ａは、リンク１２５−ａを介してｅＮＢ１０５−ａと、リンク１２５−ｂを介してＷＬＡＮ  ＡＰ１３５−ａとの同時通信が可能な、マルチモードＵＥであり得る。いくつかの実施形態では、リンク１２５−ａ、１２５−ｂを介した通信のスケジューリングは、中央スケジューラによって協調され得る。この協調スケジューリングは、ＷＬＡＮワイヤレスリンク１２５−ｂの状態と比較して、ＬＴＥワイヤレスリンク１２５−ａの状態（たとえば、輻輳、レート、変調タイプ、コーディング方式、チャネル品質、送信電力、スケジューリングなど）に少なくとも部分的に基づき得る。たとえば、ＬＴＥワイヤレスリンク１２５−ａの状態に基づいて、１つまたは複数のＬＴＥベアラに関するパケットの送信が、ＰＤＮ２５０またはＥＰＣ１３０−ａとＵＥ１１５−ａとの間のダウンリンク通信の速度または効率を高めるために、ＷＬＡＮワイヤレスリンク１２５−ｂを介してスケジュールされ得る。
【００６９】
[0087]図３は、より詳細にシステム１００および／または２００の態様を示す図３００である。図３００は、ＬＴＥ  ｅＮＢ１０５−ａとＷＬＡＮ  ＡＰ１３５−ａとＵＥ１１５との間の通信リンクを示す。ＬＴＥ  ｅＮＢ１０５−ａおよびＷＬＡＮ  ＡＰ１３５−ａは、バックホールリンク３３５を介して、直接的または間接的のいずれかで、互いにデータと構成情報とを通信することが可能であり得る。システムは、アクセスポイント１０５、１３５のうちの１つの構成要素、または場合によっては別個の構成要素であり得る、中央スケジューラ３２０を含み得る。
【００７０】
[0088]図３００に示されているように、ＬＴＥ  ｅＮＢ１０５−ａおよびＷＬＡＮ  ＡＰ１３５−ａは、それぞれ、送信ダイバーシティなどのダイバーシティ技法を採用するための２つ以上の送信アンテナ２１５を有してよく、その場合、複数のアンテナ（または、アンテナポート）が、ダイバーシティ利得を与えるために受信機において場合によっては等化した信号のバージョン（たとえば、遅延された、コーディングされたなど）を送信する。ＵＥ１１５もまた、ダイバーシティ利得を与えるために複数のアンテナからの信号が合成される、受信ダイバーシティを採用し得る。ＬＴＥ  ｅＮＢ１０５−ａおよびＷＬＡＮ  ＡＰ１３５−ａは、ダイバーシティ利得、アレイ利得（たとえば、ビームフォーミングなど）、および／または空間多重化利得を高めるために、ＭＩＭＯ技法を採用し得る。
【００７１】
[0089]ＵＥ１１５の各々は、複数のアンテナを有してよく、複数のリンク１２５を介して同時に送信を受信することが可能であってよく、各リンク１２５が別個の重複しないアンテナのサブセットによって受信される。たとえば、ＵＥ１１５−ａは、４つのアンテナａ1〜ａ4を有してよく、ＬＴＥ  ｅＮＢ１０５−ａからのリンク１２５−ａを受信するための１つ、２つ、または３つのアンテナを含む第１のサブセットと、ＷＬＡＮ  ＡＰ１３５−ａからのリンク１２５−ｂを受信するための、第１のサブセット中にはないアンテナを含む第２のサブセットとを使用し得る。アクセスポイントとＵＥ１１５−ａとの間のチャネル条件に基づいて、アンテナの様々なサブセットが、アクセスポイント１０５、１３５とＵＥ１１５−ａとの間で異なる通信レートを与え得る。ＵＥ１１５は、リンク１２５ごとの選択されたアンテナサブセットについて、サポートされた通信レート（たとえば、チャネル品質情報（ＣＱＩ）など）を報告し得る。
【００７２】
[0090]システム１００、２００、および３００は、ＵＥおよびネットワークにわたるマルチフロー性能と優先順位とを最適化するために構成され得る。マルチフロー管理は、ＵＥ１１５における受信アンテナ選択と、ＣＳＩ測定および報告と、マルチフロー動作のためのスケジューリングとを含み得る。これらの技法は、複数のアクセスポイントおよびアンテナの異なる組合せについての、ＵＥのためのチャネル条件を評価し、どのようにＵＥが複数のアクセスポイントからの送信のためにＣＳＩをフィードバックするべきかを決定し得る。開示される技法はまた、ＵＥおよびネットワークにわたるマルチフロー性能と優先順位とを最適化するために、ＣＳＩ情報を使用して、複数のアクセスポイントからの送信をスケジュールするための技法を含む。
【００７３】
[0091]中央スケジューラ３２０は、ＬＴＥ  ｅＮＢ１０５−ａから、およびＷＬＡＮ  ＡＰ１３５−ａからＵＥ１１５−ａへの送信のための優先順位付けとスケジューリングとを実施し得る。中央スケジューラ３２０は、ベアラレベルまたはＵＥ論理チャネルレベルにおいて、優先順位付けを実施し得る。たとえば、中央スケジューラ３２０は、スケジューリング間隔ごとにスケジュールされるべきＵＥのＵＥ論理チャネルの優先リストを形成し得る。優先リストは、スケジュールされるべきＵＥと、それぞれのＵＥ論理チャネルに関連付けられたサービス品質（ＱｏＳ）とに基づいた、順序付けを含み得る。中央スケジューラ３２０は、ＵＥからのＣＳＩフィードバックに基づいて、複数のアクセスポイントにわたる複数のＵＥのためのＵＥ論理チャネルを優先順位付けするための様々なオプションを使用し得る。
【００７４】
[0092]第１のスケジューリングモードでは、中央スケジューラ３２０は、ＬＴＥリンクおよびＷＬＡＮリンクの最大合計容量に基づいて、第１のリンクおよび第２のリンクのための別個の優先順位を決定し得る。第２のスケジューリングモードでは、中央スケジューラ３２０は、ＬＴＥリンクおよびＷＬＡＮリンクの最大合計容量に基づいて、ＬＴＥ  ｅＮＢ１０５−ａとＷＬＡＮ  ＡＰ１３５−ａの両方にわたる単一の優先順位リストを維持し得、アクセスポイントにわたる広帯域スケジューリングを実施し得る。第３のスケジューリングモードでは、中央スケジューラ３２０は、ＬＴＥ  ｅＮＢ１０５−ａとＷＬＡＮ  ＡＰ１３５−ａとの間の直交スケジューリングを使用し得る。第４のスケジューリングモードでは、中央スケジューラ３２０は、ＬＴＥネットワークおよびＷＬＡＮネットワークのための個々の優先順位リストを維持し、ＬＴＥリンクのみを使用する、ＷＬＡＮリンクのみを使用する、または同時にＷＬＡＮリンクとＬＴＥリンクの両方を使用するという、各ＵＥのための３つの受信構成の各々のためのサポートされた通信レートを考慮に入れて、マルチフロー性能を最適化することに基づいて、ＵＥをスケジュールする。
【００７５】
[0093]この説明は、ＵＥ１１５が同時にＬＴＥ  ｅＮＢおよびＷＬＡＮ  ＡＰに接続される、マルチフロー動作のためのアンテナ選択に焦点を合わせるが、説明される技法は、他の複数の接続シナリオに適用され得る。たとえば、説明される技法は、同じネットワーク上のキャリアアグリゲーションにおけるアンテナ選択とスケジューリングとに適用され得る。キャリアアグリゲーションでは、ＵＥは、サービングｅＮＢからのダウンリンクキャリアと、１つまたは複数の非サービングｅＮＢからの１つまたは複数のダウンリンクキャリアとを受信することをサポートし得る。説明される技法は、サービングｅＮＢおよび非サービングｅＮＢからダウンリンクキャリアを受信するための、アンテナ選択とスケジューリングとを実施するために使用され得る。
【００７６】
[0094]図４は、マルチアンテナ受信機４００の図である。受信機４００は、図１、図２、または図３のＵＥ１１５の態様を示し得る。受信機４００は、Ｎ個の受信アンテナ２３５を含み得る。受信機４００は、Ｒ個の無線周波数（ＲＦ）チェーン４１５を含んでよく、ただし、Ｒは一般にＮ以下であり得る。各ＲＦチェーン４１５は、ＲＦモジュール４２０とアナログデジタルコンバータ（ＡＤＣ）４２５とを含み得る。受信機４００は、アンテナ２３５とＲＦチェーン４１５とを接続するためのスイッチマトリックス４４０を含み得る。実施形態では、スイッチマトリックス４４０は、Ｒ個の受信チェーン４１５の各々をアンテナ２３５のいずれかに接続することができる。いくつかの例では、ＲはＮに等しくてよく、スイッチマトリックス４４０が省略されてよい。この場合、各アンテナ２３５は、ＲＦチェーン４１５と直接結合され得る。本明細書で使用される「アンテナ」は、文脈に応じて、アンテナ２３５、またはアンテナ２３５と関連付けられたＲＦチェーン４１５とを指すことがある。
【００７７】
[0095]動作中に、受信アンテナ２３５によって受信された信号は、スイッチマトリックス４４０の入力に与えられ、スイッチマトリックス４４０は、それらの信号をＲＦチェーン４１５の入力に与える。ＲＦチェーンにおいて、それらの信号がＲＦモジュール４２０によって処理（たとえば、増幅、ダウンコンバート、フィルタ処理など）され、ＡＤＣ４２５によってデジタル化される。ＲＦチェーン４１５の出力は、さらなる処理のために復調器４４５に与えられる。復調器４４５は、同じまたは異なるＲＡＴ（たとえば、異なる周波数帯域、変調技法など）を使用する複数のアクセスポイントからの信号を同時に復調するためのモジュールを含み得る。たとえば、復調器４４５は、ＬＴＥ復調器４５０とＷＬＡＮ復調器４５５とを含み得る。復調器４５０、４５５の各々は、受信信号の信号対雑音比（ＳＮＲ）または信号対干渉＋雑音比（ＳＩＮＲ）を高めるために、受信ダイバーシティ技法を使用して、複数のアンテナから受信された信号を合成し得る。たとえば、復調器４５０、４５５は、等利得合成、最大比合成（ＭＲＣ）など、好適な信号合成技法を使用し得る。復調器４５０、４５５およびＲＦチェーン４１５は、干渉消去および／または抑制（たとえば、干渉除去合成、逐次干渉消去など）をさらに行うために、干渉消去技法を使用し得る。
【００７８】
[0096]場合によっては、各アンテナは、一度に単一のＲＡＴ（たとえば、周波数帯域など）のための信号を処理するように構成され得る。受信機４００の異なるアンテナは、異なるチャネル条件またはマルチパス伝搬を経験することがある。したがって、受信機４００が、１つのＲＡＴに関連付けられた送信を受信中であるとき、受信機４００は、最大でアンテナのすべてを含む、送信を受信するためのアンテナのサブセットを選択し得る。しかしながら、受信機が複数のアクセスポイントからの複数の同時送信を受信中であるとき、受信機４００は、送信ごとに互いに素なアンテナのサブセットを使用する。たとえば、受信機４００は、１つのアクセスポイント（または、単一のＲＡＴに関連付けられたアクセスポイントのセット）に関連付けられた信号を受信するためのアンテナの第１のサブセットと、他のアクセスポイントに関連付けられた信号を受信するためのアンテナの第２の重複しないサブセットとを選択し得る。
【００７９】
[0097]概して、アンテナ選択プロセスは、動的に、半静的に、または、アンテナ選択において使用される機能へのパラメータ入力が変化するとき、実施され得る。たとえば、アンテナ選択は、後続のフレーム中に受信されるべき送信のために、いくつかのフレームの時間スケール（たとえば、数十ミリ秒）において実施されてよく、送信パラメータ、チャネル状態情報などへの変化に基づいて更新され得る。受信機は、選択されたアンテナサブセットに基づいて、量子化された容量（たとえば、チャネル品質情報（ＣＱＩ）など）を報告し得る。たとえば、受信機４００は、ダウンリンク送信のためのアンテナサブセットを決定し得、選択されたアンテナサブセットを使用して、計算された受信機ＳＮＲに基づいて、サービングｅＮＢ１０５またはＷＬＡＮ  ＡＰ１３５に、サポートされたチャネルレートを報告し得る。
【００８０】
[0098]図５は、図４のＲＦモジュール４２０の一例であり得るＲＦモジュール４２０−ａを示す。図示された例では、ＲＦモジュール４２０−ａは、低雑音増幅器（ＬＮＡ）５１０と、ミクサ５１５と、フィルタ５２０とを含む。これらの構成要素の各々は直接または間接的に通信していてよい。
【００８１】
[0099]ＬＮＡ５１０は、スイッチ（たとえば、スイッチマトリックス４４０）を通してアンテナから受信された低レベル信号を増幅し得る。ミクサ５１５は、局部発振器（ＬＯ）信号の周波数に基づいて、無線周波数からベースバンドへ、増幅された信号をダウンコンバートするために使用され得る。フィルタ５２０は、ダウンコンバートされた信号をフィルタ（たとえば、バンドパスフィルタ）処理し得、フィルタ処理された信号をデジタル化のためにＡＤＣに与え得る。いくつかの実施形態では、ＲＦモジュール４２０−ａは、増幅器、フィルタ、および／またはミクサなど、追加の構成要素を含み得る。たとえば、ダウンコンバージョン動作が２つ以上の段階を含むとき、ＲＦモジュール４２０−ａは複数のミクサを含んでよく、それらのミクサの各々が、異なるＬＯ信号に関連付けられ得る。ＲＦモジュール４２０−ａはまた、干渉消去または抑制のための構成要素を含み得る。
【００８２】
[0100]図６は、複数のアクセスポイントを用いるマルチフロー動作におけるＵＥ１１５−ｃのためのプロトコルスタックの図６００である。いくつかの実施形態では、複数のアクセスポイントは、異なるＲＡＴに関連付けられてよく、ＵＥ１１５−ｃは、異なるＲＡＴを使用する複数のアクセスポイントとの複数の同時接続を維持することが可能であり得る。たとえば、ＵＥ１１５−ｃは、ＬＴＥ  ｅＮＢ１０５−ｂおよびＷＬＡＮ  ＡＰ１３５−ｂとの同時接続を維持することが可能であり得る。ＵＥ１１５−ｃは、複数のＲＡＴ固有のプロトコルスタックを実装し得る。たとえば、ＵＥ１１５−ｃは、ＬＴＥ固有のＰＨＹレイヤと、ＬＴＥ固有のＭＡＣレイヤ６１０と、ＬＴＥ固有のＲＬＣ／ＰＤＣＰレイヤ６２０とを有し得る。ＵＥ１１５−ｃはまた、ＷＬＡＮ固有のＰＨＹレイヤと、ＷＬＡＮ固有のＭＡＣレイヤ６３０と、ＷＬＡＮ固有の論理リンク制御（ＬＬＣ）レイヤまたはＩＰｖ４／ＩＰｖ６レイヤ６４０とを有し得る。
【００８３】
[0101]図７は、マルチフロー動作をサポートするシステムによって実装されるような、ネットワークレイヤと中央スケジューラモジュール３２０−ａとの間の対話のブロック図７００である。中央スケジューラモジュール３２０−ａは、無線リンク制御（ＲＬＣ）レイヤ７１０と、ＬＴＥ  ＭＡＣレイヤ６１０−ａと、ＷＬＡＮ  ＭＡＣレイヤ６３０−ａとの間で対話し得る。ブロック図７００は、たとえば、図６のプロトコルスタックを実装する図１、図２、または図３のシステム１００、２００、または３００によって実装され得る。
【００８４】
[0102]本例では、単一のＲＬＣレイヤ７１０が、プロトコルデータユニット（ＰＤＵ）またはパケットを、上位ネットワークとプロトコルスタックのアプリケーションレイヤとから、マルチフロー動作をサポートするＬＴＥ  ＭＡＣレイヤ６１０−ａとＷＬＡＮ  ＭＡＣレイヤ６３０−ａの両方に供給する。中央スケジューラモジュール３２０−ａは、ＲＬＣレイヤ７１０とＬＴＥ  ＭＡＣレイヤおよびＷＬＡＮ  ＭＡＣレイヤとの間のデータのフローを管理するために、ＲＬＣレイヤ７１０と対話し得る。ＬＴＥ  ＭＡＣレイヤおよびＷＬＡＮ  ＭＡＣレイヤは、ＬＴＥ  ｅＮＢ１０５とＷＬＡＮ  ＡＰ１３５とを介して、通信リンク（たとえば、ＰＨＹレイヤなど）上でデータを転送し得る。たとえば、中央スケジューラ３２０−ａは、図６に示されたプロトコルスタックを使用して、ＵＥ１１５−ｃのための通信を管理し得る。
【００８５】
[0103]中央スケジューラ３２０−ａは、ＲＬＣレイヤ７１０からキューサイズ報告を要求および受信し得る。キューサイズ報告は、ＲＬＣレイヤ７１０からＵＥの１つまたは複数の論理チャネルへ送信される準備ができているダウンリンクデータの量を指示し得る。
【００８６】
[0104]そのうちのいくつかが一致し得る、ＬＴＥおよび／またはＷＬＡＮワイヤレスリンクのためのいくつかのスケジューリングインスタンスの各々において、中央スケジューラ３２０−ａは、ＬＴＥおよびＷＬＡＮのための別個の優先順位リストを形成し得る。リストによって定義された順序に従って、中央スケジューラ３２０−ａは、ＬＴＥリソースを割り当て、ＵＥの論理チャネルごとにＷＬＡＮ送信バッファに入れるためのデータの量を暫定的に決定し得る。中央スケジューラ３２０−ａは、ＬＴＥネットワークの状態に少なくとも部分的に基づいて、ＬＴＥとＷＬＡＮとの間の優先順位付けに従って、ＬＴＥ論理チャネルの各々について、データを送信するためにＬＴＥを使用するべきか、ＷＬＡＮを使用するべきかを決定し得る。
【００８７】
[0105]中央スケジューラ３２０−ａのＬＴＥ優先順位付けモジュール７２０は、ＬＴＥ固有の比例公平性計算に従って、ＵＥのＬＴＥ論理チャネルの優先順位リストを決定し得る。同様に、ＷＬＡＮ優先順位付けモジュール７３０は、ＷＬＡＮ固有の比例公平性計算に従って、ＵＥの論理チャネルの優先順位リストを決定し得る。これらの決定された優先順位の１つまたは複数は、ＬＴＥ  ＭＡＣレイヤ６１０−ａから受信されたチャネル品質報告（たとえば、ＣＱＩなど）と、ＷＬＡＮ  ＭＡＣレイヤ６３０−ａから受信されたチャネル品質およびバッファ状態報告とに少なくとも部分的に基づき得る。中央スケジューラ３２０−ａのＬＴＥリソース割当てモジュール７２５およびＷＬＡＮリソース割当てモジュール７３５は、ＵＥの論理チャネルを介して送信されるべきダウンリンクデータの異なる部分のために、ＬＴＥリソースとＷＬＡＮリソースとを選択し、割り当て得る。
【００８８】
[0106]ＬＴＥダウンリンク送信のためのスケジューリング間隔は、周期的（たとえば、１ミリ秒ごと）に発生し得るが、一方ＷＬＡＮダウンリンク送信のためのスケジューリング間隔は、周期的および／または非周期的に発生し得る。ジョイント処理が可能にされ得るので、ＬＴＥダウンリンクスケジューリング間隔およびＷＬＡＮダウンリンクスケジューリング間隔が、少なくとも時々、重複することが望ましくなり得る。
【００８９】
[0107]いくつかの実施形態では、ＲＬＣレイヤ７１０は、図６のＬＴＥ  ＲＬＣレイヤ６２０であってよく、マルチフローが使用され得、ＬＴＥ論理チャネルデータをＷＬＡＮリンクにオフロードする。いくつかの周期的なＷＬＡＮダウンリンクスケジューリング間隔の各々において、中央スケジューラ３２０−ａは、複数の論理チャネルおよびＵＥの各々について、その論理チャネルおよびそのＵＥからの任意のデータがＷＬＡＮ  ＭＡＣレイヤ６３０−ａの対応する送信バッファにプッシュされるべきであるか否かを決定し得る。
【００９０】
[0108]ユーザ間の優先順位付けは、ＲＡＴごとに比例公平シェア（proportional fair share）アルゴリズムに基づいて実施され得る。優先順位メトリックＰＭが、スケジューリング間隔（たとえば、ＬＴＥサブフレームなど）ごとに計算され得る。いくつかの例では、所与のＵＥ  ｉ、ＬＴＥ論理チャネルｊ、およびＲＡＴ（すなわち、ＬＴＥまたはＷＬＡＮ）のための優先順位メトリックＰＭは、次のように計算され得る。
【数１】
0006449259.tif 000002
【００９１】
ただし、
Ｒmax,iは、ＵＥ  ｉのためのそのＲＡＴの報告されたチャネルレートによって決定されるような、サポート可能な変調およびコーディング方式（ＭＣＳ）に基づく、そのＲＡＴのための要求されたデータレートであり、
【数２】
0006449259.tif 000003
【００９２】
は、両方のＲＡＴを介したＬＴＥ論理チャネルｊのためのＵＥ  ｉにサービスされたデータの平均レートであり、
【数３】
0006449259.tif 000004
【００９３】
は、ＵＥ  ｉにおけるＬＴＥ論理チャネルｊのサービス品質（ＱｏＳ）要件に関連付けられた遅延デッドラインであり、
【数４】
0006449259.tif 000005
【００９４】
は、現在のヘッドオブライン遅延デッドラインであり、
δは、スケジューリングメトリック指数であり、
εおよびρは、ゼロ除算を防止するための小さい数である。
【００９５】
[0109]平均レートは、複合公平性（composite fairness）を考慮するために、両方のリンクにわたって観測された平均レートの和として計算され得る。たとえば、平均レートは次のように計算され得る。
【数５】
0006449259.tif 000006
【００９６】
ただし、
【数６】
0006449259.tif 000007
【００９７】
は、現在の実装形態への変更なしに計算された、ＬＴＥにおけるフィルタ処理されたレートであり
【数７】
0006449259.tif 000008
【００９８】
は、指定された時間ウィンドウ内でＷＬＡＮリンク上で正常に送信されたデータにわたって平均されたデータレートである。
【００９９】
ＬＴＥ優先順位リストとＷＬＡＮ優先順位リストとを連結し、降順でエントリを順序付けすることによって形成された、単一のジョイント優先順位リストが、リソース割当てのために使用され得る。
【０１００】
[0110]図８は、アンテナ選択によるマルチフローにおける優先順位付けをスケジュールするためのメッセージ流れ図８００を示す。メッセージ流れ図８００は、たとえば、ＬＴＥ  ｅＮＢ１０５−ｃおよびＷＬＡＮ  ＡＰ１３５−ｃへの同時接続を用いるＵＥ１１５−ｄのためのマルチフロー動作を示し得る。
【０１０１】
[0111]ブロック８０５で、ＵＥ１１５−ｄは、ＬＴＥアクセスポイントおよびＷＬＡＮアクセスポイントとの通信のために利用可能なアンテナサブセットを識別し得る。４つのアンテナａ1〜ａ4をもつＵＥの場合には、可能なサブセットのセットＫが表１によって与えられる。
【表１】
0006449259.tif 000009
【０１０２】
[0112]たとえば、ＵＥ１１５−ｄは、ＬＴＥリンクを介して送信を受信するために使用され得るアンテナサブセットのセットと、ＷＬＡＮリンクを介して送信を受信するために使用され得るアンテナサブセットのセットとを識別し得る。アンテナサブセットの利用可能なセットは、リンクに関連付けられた制限に基づいて識別され得る。たとえば、リンクは、少なくとも２つの受信アンテナを使用する制限を有し得る。４つのアンテナａ1〜ａ4をもつＵＥの場合には、この制限を満たす利用可能なサブセットのセットＫ’は、Ｋ’＝｛ｋ5，ｋ6，ｋ7，ｋ8，ｋ9，ｋ10，ｋ11，ｋ12，ｋ13，ｋ14，ｋ15｝となる。
【０１０３】
[0113]ブロック８１０で、ＵＥ１１５−ｄは、リンクごとの利用可能なアンテナサブセットに基づいて、リンクのためのチャネル推定値ＨSを決定する。ＵＥ１１５−ｄは、ＬＴＥ  ｅＮＢ１０５−ｃおよびＷＬＡＮアクセスポイント１３５−ｃによって送信されたパイロット信号または基準信号（ＲＳ）８１２に基づいて、チャネル推定値を決定し得る。たとえば、ＵＥ１１５−ｄは、それにおいてすべてのアンテナを使用して、リンクの基準信号を受信するための測定ウィンドウを決定し、各利用可能なアンテナサブセットのチャネル推定値を決定するために受信信号を使用し得る。
【０１０４】
[0114]ブロック８１５で、ＵＥ１１５−ｄは、ＬＴＥ  ｅＮＢ１０５−ｃとＷＬＡＮアクセスポイント１３５−ｃのいずれかまたは両方に、リンクのためのチャネルレート（たとえば、ＣＱＩなど）を報告する。ＵＥ１１５−ｄは、リンクごとの最良のアンテナサブセットを使用して、リンクごとのチャネルレートを報告し得る。たとえば、Ｎ個の受信アンテナを有するＵＥでは、すべてのＮ個の受信アンテナまでのＮ個のアンテナの任意の組合せを使用して、ＬＴＥリンクのための最大のサポートされたレートである、レート
【数８】
0006449259.tif 000010
【０１０５】
が決定され得る。同様に、すべてのＮ個の受信アンテナまでのＮ個のアンテナの任意の組合せを使用して、ＷＬＡＮリンクのための最大のサポートされたレートである、レート
【数９】
0006449259.tif 000011
【０１０６】
が決定され得る。
【０１０７】
[0115]追加または代替として、ＵＥ１１５−ｄは、重複しないアンテナサブセットを使用するリンクの最大合計容量に基づいて、チャネルレートを報告し得る。たとえば、ＵＥ１１５−ｄは、重複しないアンテナ仮定のセットを使用して、ＬＴＥリンクおよびＷＬＡＮリンクの最大合計容量を決定し得る。
【０１０８】
[0116]図９は、複数のリンクを同時に受信するための例示的なアンテナ構成の表９００を示す。詳細には、表９００は、表１で与えられたアンテナサブセットに従って、４つの受信アンテナを有するＵＥ１１５のためのＲＡＴ（ＬＴＥおよびＷＬＡＮ）ごとの、少なくとも１つのアンテナをもつ重複しないアンテナ構成のセットＸ９０５を示す。ただし、重複しないアンテナ選択構成は、同様の方法で、任意の数の受信アンテナを有するＵＥ１１５について生成され得る。評価されるべきアンテナ構成のセットは、リンクのための様々な制限に基づき得る。たとえば、アンテナ構成のセットＹ９１０は、ＬＴＥリンクが少なくとも２つのアンテナを用いて受信されるという制限を満たす、ＲＡＴ（ＬＴＥおよびＷＬＡＮ）ごとの少なくとも１つのアンテナをもつ、アンテナ構成のセットを示す。
【０１０９】
[0117]ＵＥ１１５−ｄは、その仮定の関連付けられたアンテナサブセットを使用する各リンクのチャネル推定値に基づいて、アンテナ構成のセット（たとえば、セットＸ９０５、セットＹ９１５など）のアンテナ選択仮定ごとに、ＬＴＥリンクおよびＷＬＡＮリンクの合計容量を計算し得る。ＵＥ１１５−ｄは、アンテナ選択仮定の最大合計容量を有するアンテナ選択仮定に基づいて、リンクごとのチャネルレートを報告し得る。たとえば、ＵＥ１１５−ｄは、ＬＴＥリンクおよびＷＬＡＮリンクの最大合計容量が、ＬＴＥリンクを受信するためにアンテナサブセットｒを使用することと、ＷＬＡＮリンクを受信するためにアンテナサブセットＮ−ｒを使用することとに対応すると決定し得、ただし、アンテナサブセットｒおよびＮ−ｒは、重複しないサブセット（すなわち、ｒ∩Ｎ−ｒ＝｛｝）である。この場合、ＵＥ１１５−ｄは、ＬＴＥリンクのためのレート
【数１０】
0006449259.tif 000012
【０１１０】
と、ＷＬＡＮリンクのためのレート
【数１１】
0006449259.tif 000013
【０１１１】
とを報告し得る。
【０１１２】
[0118]図８に戻ると、ＵＥ１１５−ｄは、ブロック８１５で、アンテナ選択期間に基づいて、ＣＱＩを報告し得る。たとえば、アンテナ選択期間が決定され得、ＣＱＩ報告間隔（たとえば、整数個のＣＱＩ報告間隔など）と同期し得る。ＵＥ１１５−ｄは、ブロック８１０で、チャネル推定値ＨSを測定し、ブロック８１５で、アンテナ選択期間に基づいて、ＣＱＩを報告し得る。
【０１１３】
[0119]中央スケジューラ３２０−ｂは、ブロック８２０で、ＬＴＥ  ｅＮＢ１０５−ｃおよびＷＬＡＮアクセスポイント１３５−ｃから、一方または両方のアクセスポイントに接続されたＵＥ１１５への送信のための優先順位付けとスケジューリングとを実施し得る。中央スケジューラ３２０−ｂは、ベアラレベルまたはＵＥ論理チャネルレベルにおいて優先順位付けを実施し得る。たとえば、中央スケジューラ３２０−ｂは、スケジューリング間隔ごとにスケジュールされるべきＵＥのＵＥ論理チャネルの優先リストを形成し得る。優先リストは、スケジュールされるべきＵＥと、それぞれのＵＥ論理チャネルに関連付けられたサービス品質（ＱｏＳ）とに基づいた、順序付けを含み得る。中央スケジューラ３２０−ｂは、ＵＥからのＣＳＩフィードバックに基づいて、複数のアクセスポイントにわたる複数のＵＥのためのＵＥ論理チャネルを優先順位付けするための様々なオプションを使用し得る。
【０１１４】
[0120]第１のスケジューリングモードでは、中央スケジューラ３２０は、報告された通信レートに基づいて、第１のリンクおよび第２のリンクのための別個の優先順位を決定し得る。たとえば、中央スケジューラ３２０は、ＬＴＥネットワークおよびＷＬＡＮネットワークの各々のための、ＵＥごとの優先順位メトリックを決定し得る。
【０１１５】
[0121]第１のモードでは、ＵＥ１１５−ｄは、リンクの最大合計容量を与えるアンテナ選択に基づいて、ＬＴＥリンクおよびＷＬＡＮリンクのためのサポートされた通信レートを報告し得る。たとえば、ＵＥ１１５−ｄは、ＬＴＥリンクのためのレート
【数１２】
0006449259.tif 000014
【０１１６】
と、ＷＬＡＮリンクのためのレート
【数１３】
0006449259.tif 000015
【０１１７】
とを報告し得る。ＵＥは、最大合計容量を決定するとき、ＬＴＥネットワークおよびＷＬＡＮネットワークの負荷を考慮に入れ得る。たとえば、ＵＥ１１５−ｄは、リンクの推定使用に基づいて（たとえば、リンク上の最近のスケジューリングなどに基づいて）、リンクごとの計算された容量を重み付けし得る。
【０１１８】
[0122]第１のモードでは、スケジューラは、ＬＴＥリンクおよびＷＬＡＮリンクのための別個の優先順位リストを維持し得る。ＬＴＥ／ＷＬＡＮ優先順位は、レート
【数１４】
0006449259.tif 000016
【０１１９】
に基づいてよく、
ただし、  Ｒmaxh,iは、ＬＴＥリンクとＷＬＡＮリンク（たとえば、
【数１５】
0006449259.tif 000017
【０１２０】
、
【数１６】
0006449259.tif 000018
【０１２１】
など）の両方にわたる最大合計容量を生じるアンテナ選択仮定ｈを用いる、ＵＥｉのためのＲＡＴごとのサポート可能なＭＣＳに基づく、要求されたデータレートである。
【０１２２】
[0123]第２のスケジューリングモードでは、中央スケジューラ３２０−ｂは、ＬＴＥアクセスポイントとＷＬＡＮアクセスポイントの両方にわたる単一の優先順位リストを維持し得、アクセスポイントにわたる広帯域スケジューリングを実施し得る。第２のスケジューリングモードでは、ＵＥ１１５−ｄはまた、ＬＴＥリンクおよびＷＬＡＮリンクの最大合計容量を与えるアンテナの重複しないサブセットに基づいて、アクセスポイントごとのサポートされた通信レートを報告する。中央スケジューラ３２０−ｂは、広帯域スケジューリングを使用して、両方のアクセスポイントについて、単一の優先順位リストを維持し、最優先順位ＵＥを最初にスケジュールし得る。
【０１２３】
[0124]第３のスケジューリングモードでは、中央スケジューラ３２０−ｂは、ＬＴＥアクセスポイントとＷＬＡＮアクセスポイントとの間の直交スケジューリングを使用し得る。たとえば、中央スケジューラ３２０−ｂは、アクセスポイントごとに独立した優先順位メトリックを維持し得、ＬＴＥ通信リンクを使用する通信のためにスケジュールされたＵＥが、ＷＬＡＮ通信リンク上で同時にスケジュールされないことを保証し得る。
【０１２４】
[0125]第３のモードでは、ＵＥ１１５は、そのリンクのための最良の容量を与える、リンクごとのアンテナサブセットに基づいて、サポートされた通信レートを報告し得る。たとえば、ＵＥは、ＬＴＥリンクのための
【数１７】
0006449259.tif 000019
【０１２５】
と、ＷＬＡＮリンクのための
【数１８】
0006449259.tif 000020
【０１２６】
とを報告し得る。第３のモードでは、第１のアンテナサブセットおよび第２のアンテナサブセットは、直交スケジューリングのために重複することがある。
【０１２７】
[0126]第４のスケジューリングモードでは、スケジューラは、第１のアクセスポイントおよび第２のアクセスポイントのための個々の優先順位リストを維持し、ＬＴＥ通信リンクのみを使用する、ＷＬＡＮ通信リンクのみを使用する、または同じ時間にＬＴＥリンクとＷＬＡＮリンクの両方を使用するという、各ＵＥのための３つの受信構成の各々のためのサポートされた通信レートを考慮に入れて、マルチフロー性能を最適化することに基づいて、ＵＥをスケジュールする。言い換えれば、ＵＥは、ＬＴＥリンクとＷＬＡＮリンクの一方または両方のための二重ＣＱＩを報告し得る。ＬＴＥリンクでは、ＵＥは、それがＬＴＥリンクのみを使用することを前提として生成された第１のセットのＬＴＥ  ＣＱＩ、ならびに、ＬＴＥリンクとＷＬＡＮリンクとが同じ時間に使用されることを前提として生成された第２のセットのＬＴＥ  ＣＱＩを報告し得る。第１のセットのＣＱＩは、ＬＴＥリンクのための最大ですべての受信アンテナを使用する受信構成に基づいて生成され得る（たとえば、
【数１９】
0006449259.tif 000021
【０１２８】
）。第２のセットのＣＱＩは、同じ時間に使用されるときの両方のリンクの最大合計容量に基づき得る（たとえば、
【数２０】
0006449259.tif 000022
【０１２９】
）。同様に、ＵＥは、ＷＬＡＮリンクのための二重ＣＱＩを報告し得る。たとえば、ＵＥは、ＷＬＡＮリンクのみを使用することに基づく第１のセットのＷＬＡＮ  ＣＱＩ（たとえば、
【数２１】
0006449259.tif 000023
【０１３０】
）と、同じ時間に使用されるときの両方のリンクの最大合計容量に基づく第２のセットのＷＬＡＮ  ＣＱＩ（たとえば、
【数２２】
0006449259.tif 000024
【０１３１】
）とを報告し得る。第２のセットのＬＴＥおよびＷＬＡＮ  ＣＱＩは、各個々のリンクの負荷を重み付けすることによって計算され得る。二重ＣＱＩフィードバックを用いて、ＵＥのための各可能な受信構成が、複数のアクセスポイントにわたる優先順位の合計によってランク付けされ得る。中央スケジューラ３２０−ｂは、正規化されたスループットとともにネットワークの瞬間容量を最大にするために、優先順位メトリックを決定し得る。
【０１３２】
[0127]第４のモードでは、ＵＥは、受信構成ごとにサポートされた通信レートを報告し得る。たとえば、各々がＮ個のアンテナを有する、２つのＵＥ（ＵＥ1およびＵＥ2）をもつシステムでは、次の通りである。
【０１３３】
ＵＥ1は、
【数２３】
0006449259.tif 000025
【０１３４】
を報告し得る
ＵＥ2は、
【数２４】
0006449259.tif 000026
【０１３５】
を報告し得る
[0128]ＵＥ優先順位を決定するための有効な仮定は、次の通りである。
【数２５】
0006449259.tif 000027
【０１３６】
[0129]優先順位メトリックは、ＲＡＴごとに各仮定について計算され、ＬＴＥおよびＷＬＡＮにわたって合計され得る。したがって、完全なフィードバック（たとえば、各受信構成のためのＣＱＩ）に基づく優先順位メトリックは、正規化されたスループットとともに瞬間容量を最大にし得る。
【０１３７】
[0130]場合によっては、いくつかの仮定は、他の仮定を除き得る。たとえば、ｈ0およびｈ1は、他の仮定を除き得る。加えて、ＵＥは、場合によっては、ＲＡＴのためのチャネル帯域幅全体（たとえば、フルバッファなど）を占めることが可能であり得る。これらの場合では、スケジューリングは、最良の仮定を選ぶことのみが必要である。
【０１３８】
[0131]より一般的には、トラフィックモデルでは、単一のＵＥは、ＲＡＴの帯域幅全体を占有することが可能でないことがある。たとえば、ｈ2が最高優先順位仮定としてランク付けされる場合、スケジューラは、ＵＥ1をスケジュールした後、残りのリソースのために、ｈ3に進むことができる（および、ｈ3が最高にランク付けされる場合、その逆も同様）。中央スケジューラは、スケジューリングのための仮定を選択するとき、ｈ0またはｈ1と比較された、ｈ2とｈ3の両方の合計優先順位を比較し得る。
【０１３９】
[0132]スケジューラは、送信間隔内でいずれかまたは両方の通信リンクを使用する送信のためにＵＥをスケジュールし得、スケジュールされた送信を受信するためのアンテナサブセットを決定することにおいて、ＵＥによって使用される受信構成または他のパラメータを指示し得る。たとえば、スケジューラは、アンテナサブセット、アンテナの数、または受信構成を決定し得、制御情報（たとえば、ダウンリンクグラント）またはＲＲＣ構成メッセージを使用して、パラメータを送り得る。いくつかの例では、スケジューラは、ＵＥが特定の送信間隔中に第２のリンクを介して送信を受信することになるか否かを、第１のリンクを介して指示し得る。
【０１４０】
[0133]図１０は、第４のスケジューリングモードを使用する、ＵＥ１１５のためのアンテナ選択のタイミング図１０００を示す。タイミング図１０００は、ＣＱＩ報告間隔および他のファクタによって決定され得る、２つのアンテナ選択期間１０１０を示す。図１０に示されている例では、ＵＥ１１５は、４つのアンテナ（ａ1〜ａ4）を有し、アンテナ選択１０２０は、ＬＴＥ  ｅＮＢ１０５もしくはＷＬＡＮ  ＡＰ１３５のいずれかから、または、重複しないアンテナサブセットを用いて、同時に両方のネットワークから、ダウンリンク送信を受信するために、図９に示されているようなアンテナ構成Ａ〜Ｐを選択するために使用される。
【０１４１】
[0134]第１のアンテナ選択期間１０１０−ａの開始において、ＵＥ１１５は、アンテナ構成Ｂが、ＬＴＥ  ｅＮＢ１０５からのＬＴＥリンクを受信するための最高容量を与え、アンテナ構成Ｍが、ＷＬＡＮ  ＡＰ１３５からのＷＬＡＮリンクを受信するための最高容量を与え、アンテナ構成Ｇが、同時にＬＴＥリンクとＷＬＡＮリンクとを受信するときにアンテナ構成の最大合計容量を与えると決定し得る。ＵＥ１１５は、ＣＱＩ報告１０１５−ａによって示されるように、受信構成ごとの決定されたアンテナ構成に基づいて、第１のアンテナ選択期間１０１０−ａの開始において、ＣＱＩを報告し得る。たとえば、ＵＥ１１５は、
【数２６】
0006449259.tif 000028
【０１４２】
によって与えられたチャネルレートを報告し得る。
【０１４３】
[0135]スケジューラは、第１の送信間隔１０２５−ａ（たとえば、サブフレームなど）のための最高優先順位スケジューリング仮定がＬＴＥ上のみでＵＥをスケジュールすると決定し得る。スケジューラは（たとえば、ＬＴＥ  ｅＮＢ１０５を介して）、サブフレーム１０２５−ａのためのスケジューリング決定を指示し得る。たとえば、サブフレームの第１の部分は、ＵＥ１１５にダウンリンクグラントを与えるために使用される制御チャネル（たとえば、ＰＤＣＣＨなど）１０３０であり得る。制御チャネルを受信するとき、ＵＥ１１５は、サブフレーム中にＬＴＥから送信を受信することになるか、ＷＬＡＮから送信を受信することになるか、両方から送信を受信することになるかを知らないことがある。しかしながら、制御チャネル１０３０は、より低いレートでコーディングおよび変調され得る。したがって、ＵＥ１１５は、ＬＴＥおよびＷＬＡＮの同時受信の条件のためのアンテナサブセット（たとえば、アンテナ構成Ｇ）を使用して、制御チャネル１０３０を受信し得る。代替的に、ＵＥ１１５は、制御チャネル１０３０を受信するためのデフォルトアンテナサブセットを使用し得る。ダウンリンクグラント（たとえば、ダウンリンク制御情報（ＤＣＩ）など）は、ＵＥ１１５がＬＴＥ上でデータチャネル１０３５においてダウンリンク送信を受信することになるか否かを指示し得る。加えて、ダウンリンクグラントは、ＵＥ１１５が（たとえば、サブフレーム内で、またはある数のサブフレームにわたってなど）ＷＬＡＮからダウンリンク送信を受信することになるか否かを指示し得る。タイミング図１０００では、ＵＥは、サブフレーム１０２５−ａ内でＬＴＥ送信を受信し、ＷＬＡＮ送信を受信せず、そのサブフレームのＬＴＥデータチャネル（たとえば、ＰＤＳＣＨ）を受信するためにアンテナ構成Ｂ（たとえば、アンテナサブセットｋ14）を使用する。
【０１４４】
[0136]サブフレーム１０２５−ｂ内で、ＵＥ１１５は、ＷＬＡＮのみからの送信を受信し、したがって、ＷＬＡＮ送信を受信するためにアンテナ構成Ｍ（たとえば、アンテナサブセットｋ12）を使用する。再び、ＬＴＥキャリアの制御チャネルが、データチャネルよりも低いレートでコーディングおよび変調され得るので、ＵＥ１１５は、構成Ｍ内でＷＬＡＮのために使用されない残りのアンテナ（たとえば、ａ3）を使用して、制御チャネルを受信することが可能であり得る。サブフレーム１０２５−ｃ内で、ＵＥ１１５は、同時にＬＴＥとＷＬＡＮの両方のためにスケジュールされてよく、アンテナ構成Ｇを使用し得る。
【０１４５】
[0137]次のアンテナ選択期間１０１０−ｂの開始において、ＵＥ１１５は、アンテナサブセット仮定のためのチャネル条件を再び測定し得、矢印１０１５−ｂにおいて二重ＣＱＩ（たとえば、別個にリンクごとの最大レートと、最大合計レートと）を報告し得る。サブフレーム１０２５−ｄによって示されているように、ＬＴＥネットワークおよびＷＬＡＮネットワークは、同期していないことがあり、したがって、ＬＴＥ送信およびＷＬＡＮ送信のある重複がある時間期間は、同時受信サブフレームであると見なされ得る。
【０１４６】
[0138]図８に戻ると、中央スケジューラ３２０−ｂは、ＬＴＥ  ｅＮＢ１０５−ｃおよびＷＬＡＮ  ＡＰ１３５−ｃへ、スケジューリング情報８２５を通信し得る。中央スケジューラ３２０−ｂはまた、マルチフロー送信を受信するためのアンテナサブセットを選択するために、ＵＥ１１５−ｄにも情報を送り得る。たとえば、中央スケジューラ３２０−ｂは、各リンクに関連付けられたＵＥ１１５−ｄへ、アンテナ受信構成、アンテナサブセットインデックス、またはアンテナサブセットサイズを送り得る。ブロック８３０で、ＵＥ１１５−ｄは、ＬＴＥ  ｅＮＢ１０５−ｃもしくはＷＬＡＮ  ＡＰ１３５−ｃから、または同時に両方のリンクから、マルチフロー送信８３５を受信するためのアンテナサブセットを選択し得る。
【０１４７】
[0139]中央スケジューラ３２０−ｂは、負荷、ＵＥ能力、ベアラもしくはＵＥ論理チャネルＱｏＳ、チャネル条件、または様々なイベント（たとえば、ハンドオーバ、セル関連付け、セル関連付け解除など）の発生に基づいて、スケジューリングモードを決定し得る。たとえば、アクセスポイントに重い負荷がかけられていないとき、ジョイントスケジューリングが選択され得るが、一方で、一方または両方のアクセスポイントにより重い負荷がかけられているとき、直交スケジューリングが選択され得る。
【０１４８】
[0140]ＵＥ１１５−ｄは、マルチフロー動作のために中央スケジューラ３２０−ｂにアンテナ選択能力を指示し得る。たとえば、ＵＥ１１５−ｄは、それがアンテナ選択を実施することができるか否か、および／または、それが、チャネルレート（たとえば、リンクの最大合計容量など）に従って選択された重複しないアンテナサブセットを使用して、異なるアクセスポイント（たとえば、ＬＴＥ  ｅＮＢ１０５−ｃおよびＷＬＡＮ  ＡＰ１３５−ｃなど）から同時送信を受信することができるか否かを指示し得る。この指示は、構成メッセージ（たとえば、ＲＲＣメッセージなど）において送られ得る。
【０１４９】
[0141]マルチフロー動作はまた、ベアラレベルにおいても実施され得る。ベアラレベルのマルチフローでは、アンテナ構成の適応がより遅くなり得る。たとえば、ＵＥは、異なるアンテナ仮定とともに長期平均ＣＱＩを報告し得る。スケジューラは、ベアラ優先順位を決定し、それに応じて、ベアラレベルでパケットフローを割り当て得る。いくつかの実施形態では、ＬＴＥ  ｅＮＢ１０５−ａは、ＵＥへのアンテナ割当て（たとえば、ＲＲＣレベルまたはサブフレームレベルの適応）を指示し得る。
【０１５０】
[0142]図８、図９、および図１０の説明は、ＬＴＥリンクとＷＬＡＮリンクとをもつマルチフロー環境内で動作するＵＥに言及するが、説明されたアンテナ選択技法はまた、他の通信環境にも適用され得る。たとえば、これらの技法は、リンク間のアンテナ選択または共有が送信を受信することにおいて利益を与え得る、他の通信環境に適用され得る。いくつかの例では、これらの技法は、ＵＥにおける受信アンテナが複数のキャリア間で共有され得る、マルチキャリアまたはキャリアアグリゲーション環境に適用され得る。この場合、各受信されたキャリアは、通信リンクであると見なされてよく、上記の技法は、複数のキャリアのためのアンテナ選択およびスケジューリングのために使用され得る。
【０１５１】
[0143]図１１は、様々な実施形態による、マルチフロー動作におけるアンテナ選択を実施するためのデバイス１１００を示す。デバイス１１００は、たとえば、図１、図２、図３、図６、図８、もしくは図１３に示されたＵＥ１１５、または図４の受信機／復調器４００の態様を示し得る。デバイス１１００は、受信機１１０５と、送信機１１１０と、アンテナ選択モジュール１１１５と、チャネル推定モジュール１１２０と、ＣＱＩ報告モジュール１１２５とを含む。これらの構成要素の各々は、互いに通信中であり得る。
【０１５２】
[0144]アンテナ選択モジュール１１１５は、マルチフロー動作における複数のアクセスポイントとの通信のための、アンテナサブセットのセットを識別し得る。たとえば、アンテナ選択モジュール１１１５は、ＬＴＥリンクを介して送信を受信するために使用され得るアンテナサブセットのセットと、ＷＬＡＮリンクを介して送信を受信するために使用され得るアンテナサブセットのセットとを識別し得る。アンテナサブセットの利用可能なセットは、リンクに関連付けられた制限に基づいて識別され得る。アンテナサブセットの利用可能なセットは、独立して各リンクと、同時に両方のリンクとを受信するために利用可能なサブセットを含み得る。
【０１５３】
[0145]チャネル推定モジュール１１２０は、利用可能なサブセットについて、複数の通信チャネルのためのチャネル推定値を決定し得る。たとえば、チャネル推定モジュール１１２０は、それにおいてすべてのアンテナを使用して、リンクの基準信号または他の信号を受信するための測定ウィンドウを決定し、各利用可能なアンテナサブセットについて、リンクのチャネル推定値を決定するために受信信号を使用し得る。
【０１５４】
[0146]ＣＱＩ報告モジュール１１２５は、デバイス１１００を用いるマルチフロー動作において、アクセスポイントのうちの１つまたは複数に（たとえば、送信機１１１０を介して）ＣＱＩを報告し得る。ＣＱＩ報告モジュール１１２５は、スケジューリングモードに基づいて報告するためにＣＱＩを決定し得る。たとえば、ＣＱＩ報告モジュール１１２５は、リンクごとの最良のアンテナサブセットを使用するリンクごとのチャネルレート、重複しないアンテナサブセットを使用するリンクの最大合計容量に基づくチャネルレート、または両方を報告し得る。
【０１５５】
[0147]受信機１１０５は、報告されたＣＱＩに基づいて、複数のアクセスポイントのうちの１つまたは複数からの送信を受信し得る。受信機のアンテナは、アンテナ選択モジュール１１１５によって選択され得る。アンテナサブセットの選択は、スケジューリングモードおよび他の情報（たとえば、ダウンリンクグラントなど）に基づき得る。
【０１５６】
[0148]図１２は、様々な実施形態による、マルチフロー動作におけるＣＱＩを報告するためのＣＱＩ報告モジュール１１２５−ａの一実施形態を示す。ＣＱＩ報告モジュール１１２５−ａは、たとえば、図１１のＣＱＩ報告モジュール１１２５の態様を示し得る。ＣＱＩ報告モジュール１１２５−ａは、最大合計容量モジュール１２１０と、チャネル容量モジュール１２２０とを含む。最大合計容量モジュール１２１０は、負荷重みモジュール１２１０を含み得る。これらの構成要素の各々は、互いに通信中であり得る。
【０１５７】
[0149]最大合計容量モジュール１２１０は、マルチフロー動作のための複数の通信リンクの最大合計容量を決定し得る。たとえば、最大合計容量モジュール１２１０は、重複しないアンテナサブセットをもつアンテナ構成のセットについて、リンクごとのチャネル容量を決定し得る。最大合計容量モジュール１２１０は、最高の最大合計容量を有するアンテナ構成を決定し得る。負荷重みモジュール１２１０は、最大合計容量を決定するとき、ＬＴＥネットワークおよびＷＬＡＮネットワークの負荷を考慮に入れ得る。たとえば、負荷重みモジュール１２１０は、リンクの推定使用に基づいて（たとえば、リンク上の最近のスケジューリングなどに基づいて）、リンクごとの計算された容量を重み付けし得る。
【０１５８】
[0150]チャネル容量モジュール１２２０は、他のリンクから独立しているリンクのチャネル容量を決定し得る。たとえば、チャネル容量モジュール１２２０は、すべての受信アンテナまでの任意の利用可能なアンテナサブセットを使用して、各リンクの最高のサポートされたレートを決定し得る。
【０１５９】
[0151]図１３は、基地局１３１０とモバイルデバイスまたはＵＥ１１５−ｅとを含む、ＭＩＭＯ通信システム１３００のブロック図である。基地局１３１０は、図１、図２、図３、図６、図８、または図１５のアクセスポイント１０５、１３５（たとえば、ＬＴＥ  ｅＮＢ、ＷＬＡＮ  ＡＰなど）の一例であり得るが、一方モバイルデバイス１１５−ｅは、図１、図２、図３、図６、図８、または図１４の通信デバイス１１５の一例であり得る。このシステム１３００は、図１のシステム１００、図２のシステム２００、または図３のシステム３００の態様を示し得る。その上、システム１３００は、図４のマルチアンテナ受信機４００の態様を示し得る。基地局１３１０は、Ｍ個のアンテナ１３３４−１〜１３３４−ｍを備え得、モバイルデバイス１１５−ｅは、Ｎ個のアンテナ２３５−１〜２３５−ｎを備え得る。システム１３００では、基地局１３１０は、同じ時間に複数の通信リンクを介してデータを送ることが可能であり得る。各通信リンクは「レイヤ」と呼ばれることがあり、通信リンクの「ランク」は、通信のために使用されるレイヤの数を指示し得る。各レイヤは、異なるデータストリームを送信し得る。追加または代替として、基地局１３１０は、モバイルデバイス１１５−ｅによって受信された送信のロバストネスを改善するために、送信ダイバーシティを採用し得る。モバイルデバイス１１５−ｅは、複数のアンテナにおいて受信された信号を合成するために、複数の受信アンテナを使用する受信ダイバーシティを採用し得る。
【０１６０】
[0152]基地局１３１０で、送信（Ｔｘ）プロセッサ１３２０は、データソースからデータを受信し得る。送信プロセッサ１３２０は、データを処理し得る。送信プロセッサ１３２０はまた、基準シンボルと、セル固有基準信号とを生成し得る。送信（Ｔｘ）ＭＩＭＯプロセッサ１３３０は、適用可能な場合、データシンボル、制御シンボル、および／または基準シンボルにおいて空間処理（たとえば、プリコーディング）を実施し得、送信変調器１３３２−１〜１３３２−ｍに出力シンボルストリームを与え得る。各変調器１３３２は、出力サンプルストリームを取得するために、（たとえば、ＯＦＤＭなどのために）それぞれの出力シンボルストリームを処理し得る。各変調器１３３２は、ダウンリンク（ＤＬ）信号を取得するために、その出力サンプルストリームをさらに処理（たとえば、アナログ変換、増幅、フィルタ処理、およびアップコンバート）し得る。１つの例では、変調器１３３２−１〜１３３２−ｍからのＤＬ信号は、それぞれアンテナ１３３４−１〜１３３４−ｍを介して送信され得る。
【０１６１】
[0153]モバイルデバイス１１５−ｅにおいて、モバイルデバイスアンテナ２３５−１〜２３５−ｎは、基地局１３１０からＤＬ信号を受信し得、受信された信号をそれぞれ復調器１３５４−１〜１３５４−ｎに与え得る。各復調器１３５４は、入力サンプルを取得するために、それぞれの受信された信号を調整（たとえば、フィルタ処理、増幅、ダウンコンバート、およびデジタル化）し得る。各復調器１３５４は、受信シンボルを取得するために、（たとえば、ＯＦＤＭなどのために）入力サンプルをさらに処理し得る。ＭＩＭＯ検出器１３５６は、すべての復調器１３５４−１〜１３５４−ｎから受信シンボルを取得し、適用可能な場合、受信シンボルに対してＭＩＭＯ検出を実施し、検出されたシンボルを供給し得る。受信（Ｒｘ）プロセッサ１３５８は、検出されたシンボルを処理（たとえば、復調、デインターリーブ、および復号）し、モバイルデバイス１１５−ｅ用に復号されたデータをデータ出力に供給し、復号された制御情報をプロセッサ１３８０またはメモリ１３８２に供給し得る。
【０１６２】
[0154]モバイルデバイス１１５−ｅは、マルチフロー動作のためにアンテナ選択を採用し得る。たとえば、アンテナ選択モジュール１１１５−ａは、マルチフロー動作における複数のアクセスポイントとの通信のための、受信アンテナ２３５のアンテナサブセットのセットを識別し得る。実施形態では、アンテナ選択モジュール１１１５−ａは、ＬＴＥリンクを介して送信を受信するために使用され得るアンテナサブセットのセットと、ＷＬＡＮリンクを介して送信を受信するために使用され得るアンテナサブセットのセットとを識別し得る。アンテナサブセットの利用可能なセットは、リンクに関連付けられた制限に基づいて識別され得る。アンテナサブセットの利用可能なセットは、独立して各リンクと、同時に両方のリンクとを受信するために利用可能なサブセットを含み得る。アンテナ選択モジュール１１１５−ａは、図１１または図１４のアンテナ選択モジュール１１１５の一例であり得る。
【０１６３】
[0155]チャネル推定モジュール１１２０−ａは、利用可能なサブセットについて、複数の通信チャネルのためのチャネル推定値を決定し得る。たとえば、チャネル推定モジュール１１２０−ａは、それにおいてすべてのアンテナを使用して、リンクの基準信号または他の信号を受信するための測定ウィンドウを決定し、各利用可能なアンテナサブセットについて、リンクのチャネル推定値を決定するために受信信号を使用し得る。チャネル推定モジュール１１２０−ａは、図１１または図１４のチャネル推定モジュール１１２０の一例であり得る。
【０１６４】
[0156]ＣＱＩ報告モジュール１１２５−ａは、ＵＥ１１５−ｅとのマルチフロー動作において、基地局１３１０のうちの１つまたは複数にＣＱＩを報告し得る。ＣＱＩ報告モジュール１１２５−ａは、スケジューリングモードに基づいて報告するためにＣＱＩを決定し得る。たとえば、ＣＱＩ報告モジュール１１２５−ａは、リンクごとの最良のアンテナサブセットを使用するリンクごとのチャネルレート、重複しないアンテナサブセットを使用するリンクの最大合計容量に基づくチャネルレート、または両方を報告し得る。
【０１６５】
[0157]ＵＥ１１５−ｅは、報告されたＣＱＩに基づいて、複数の基地局１３１０のうちの１つまたは複数からの送信を受信し得る。ＵＥ１１５−ｅのアンテナ２３５は、アンテナ選択モジュール１１１５−ａによって選択され得る。アンテナサブセットの選択は、スケジューリングモードおよび他の情報（たとえば、ダウンリンクグラントなど）に基づき得る。いくつかの実施形態では、アンテナ選択モジュール１１１５−ａ、チャネル推定モジュール１１２０−ａ、およびＣＱＩ報告モジュール１１２５−ａは、ＭＩＭＯ検出器１３５６、受信プロセッサ１３５８、プロセッサ１３８０、および／またはメモリ１３８２の構成要素として実装され得る。
【０１６６】
[0158]アップリンク（ＵＬ）上で、モバイルデバイス１１５−ｅで、送信（Ｔｘ）プロセッサ１３６４は、データソース、またはメモリ１３４２に結合されたプロセッサ１３４０から、データを受信し、処理し得る。送信プロセッサ１３６４はまた、基準信号用の基準シンボルを生成し得る。送信プロセッサ１３６４からのシンボルは、適用可能な場合、送信（Ｔｘ）ＭＩＭＯプロセッサ１３６６によってプリコーディングされ、さらに（たとえば、ＳＣ−ＦＤＭＡなどのための）復調器１３５４−１〜１３５４−ｎによって処理され、基地局１３１０から受信された送信パラメータに従って基地局１３１０に送信され得る。基地局１３１０において、モバイルデバイス１１５−ｅからのＵＬ信号がアンテナ１３３４によって受信され、復調器１３３２によって処理され、適用可能な場合、ＭＩＭＯ検出器１３３６によって検出され、受信（Ｒｘ）プロセッサ１３３８によってさらに処理され得る。受信プロセッサ１３３８は、復号データをデータ出力およびプロセッサ１３４０に与え得る。
【０１６７】
[0159]基地局１３１０の構成要素は、個別にまたは集合的に、ハードウェア内の適用可能な機能の一部または全部を実施するように適応された、１つまたは複数の特定用途向け集積回路（ＡＳＩＣ）を用いて実装され得る。言及されたモジュールの各々は、システム１３００の動作に関係する１つまたは複数の機能を実施するための手段であり得る。同様に、モバイルデバイス１１５−ｅの構成要素は、個別にまたは集合的に、ハードウェア内の適用可能な機能の一部または全部を実施するように適応された、１つまたは複数の特定用途向け集積回路（ＡＳＩＣ）を用いて実装され得る。言及された構成要素の各々は、システム１３００の動作に関係する１つまたは複数の機能を実施するための手段であり得る。
【０１６８】
[0160]図１４は、様々な実施形態による、マルチフロー動作におけるアンテナ選択のために構成されたモバイルデバイス１１５−ｆのブロック図１４００である。モバイルデバイス１１５−ｆは、パーソナルコンピュータ（たとえば、ラップトップコンピュータ、ネットブックコンピュータ、タブレットコンピュータなど）、セルラー電話、ＰＤＡ、スマートフォン、デジタルビデオレコーダ（ＤＶＲ）、インターネットアプライアンス、ゲームコンソール、電子リーダーなど、様々な構成のいずれかを有し得る。モバイルデバイス１１５−ｆは、モバイル動作を可能にするために、小型のバッテリーなどの内部電源（図示せず）を有し得る。いくつかの実施形態では、モバイルデバイス１１５−ｆは、図１、図２、図３、図６、図８、または図１３のモバイルデバイス１１５の一例であり得る。
【０１６９】
[0161]モバイルデバイス１１５−ｆは、概して、通信を送信するための構成要素と通信を受信するための構成要素とを含む、双方向音声およびデータ通信のための構成要素を含み得る。モバイルデバイス１１５−ｆは、（たとえば、１つまたは複数のバス１４７５を介して）直接または間接的に各々互いに通信し得る、プロセッサモジュール１４７０と、メモリ１４８０と、送信機／変調器１４１０と、受信機／復調器１４１５と、アンテナ２３５とを含み得る。モバイルデバイス１１５−ｆは、送信機／変調器モジュール１４１０と受信機／復調器モジュール１４１５とを介して、複数のワイヤレス送信を同時に送信および／または受信することが可能な複数のアンテナ２３５を含み得る。たとえば、モバイルデバイス１１５−ｆは、Ｎ個のアンテナ２３５と、Ｔ個の送信機／変調器モジュール１４１０と、Ｒ個の受信機／復調器１４１５とを有し得る。送信機／変調器モジュール１４１０は、アクセスポイント１０５、１３５（たとえば、ＬＴＥ  ｅＮＢ、ＷＬＡＮ  ＡＰなど）へ、アンテナ２３５のうちの１つまたは複数を介して、信号を送信するように構成され得る。送信機／変調器モジュール１４１０は、パケットを変調し、変調されたパケットを送信のためにアンテナ２３５に与えるように構成されたモデムを含み得る。受信機／復調器１４１５は、アンテナ２３５のうちの１つまたは複数から受信されたパケットを受信し、ＲＦ処理を実施し、復調するように構成され得る。いくつかの例では、モバイルデバイス１１５−ｆは、アンテナ２３５ごとに１つの受信機／復調器１４１５を有し得る（すなわち、Ｒ＝Ｎ）が、一方他の例では、ＲはＮ未満であるか、またはＮよりも大きくなり得る。送信機／変調器１４１０および受信機／復調器１４１５は、複数のＭＩＭＯレイヤおよび／またはコンポーネントキャリアを介して、複数の基地局１０５、１３５と同時に通信することが可能であり得る。
【０１７０】
[0162]図１４のアーキテクチャによれば、モバイルデバイス１１５−ｆはまた、アンテナ選択モジュール１１１５−ｂと、チャネル推定モジュール１１２０−ｂと、ＣＱＩ報告モジュール１１２５−ｂとを含み得る。例として、これらのモジュールは、バス１４７５を介してモバイルデバイス１１５−ｆの他の構成要素の一部または全部と通信している、モバイルデバイス１１５−ｆの構成要素であり得る。代替的に、これらのモジュールの機能は、送信機／変調器１４１０、受信機／復調器１４１５の構成要素として、コンピュータプログラム製品として、および／またはプロセッサモジュール１４７０の１つもしくは複数のコントローラ要素として実装され得る。
【０１７１】
[0163]メモリ１４８０は、ランダムアクセスメモリ（ＲＡＭ）と読取り専用メモリ（ＲＯＭ）とを含み得る。メモリ１４８０は、実行されるとプロセッサモジュール１４７０に本明細書で説明される様々な機能（たとえば、呼処理、データベース管理、アンテナ選択など）を実施させるように構成された命令を含んでいるコンピュータ可読、コンピュータ実行可能ソフトウェア／ファームウェアコード１４８５を記憶し得る。代替的に、ソフトウェア／ファームウェアコード１４８５は、プロセッサモジュール１４７０によって直接的に実行可能でないことがあるが、（たとえば、コンパイルされ実行されると）コンピュータに本明細書で説明される機能を実施させるように構成され得る。
【０１７２】
[0164]プロセッサモジュール１４７０は、インテリジェントハードウェアデバイス、たとえば、中央処理ユニット（ＣＰＵ）、マイクロコントローラ、特定用途向け集積回路（ＡＳＩＣ）などを含み得る。モバイルデバイス１１５−ｆは、マイクロフォンを介してオーディオを受信し、そのオーディオを、受信されたオーディオを表す（たとえば、長さ２０ｍｓ、長さ３０ｍｓなどの）パケットに変換し、そのオーディオパケットを送信機／変調器モジュール１４１０に与え、ユーザが話しているかどうかの指示を与えるように構成された、音声エンコーダ（図示せず）を含み得る。
【０１７３】
[0165]モバイルデバイス１１５−ｆは、図１、図２、図３、図６、図８、および図１３のＵＥ１１５、図４の受信機４００、または、または図１１のデバイス１１００に関して上記で説明された態様を実装するように構成されてよく、ここでは簡潔のために繰り返されない場合がある。したがって、アンテナ選択モジュール１１１５−ｂは、図１１または図１３のアンテナ選択モジュール１１１５に関して上記で説明されたモジュールと機能とを含み得、チャネル推定モジュール１１２０−ｂは、図１１または図１３のチャネル推定モジュール１１２０に関して上記で説明されたモジュールと機能とを含み得、ＣＱＩ報告モジュール１１２５−ｂは、図１１または図１３のＣＱＩ報告モジュールに関して上記で説明されたモジュールと機能とを含み得る。
【０１７４】
[0166]図１５は、様々な実施形態による、アンテナ選択を使用するマルチフロー動作のために構成され得る通信システム１５００のブロック図を示す。このシステム１５００は、図１、図２、または図３に示されたシステム１００、２００、または３００の態様の一例であり得る。システム１５００は、ワイヤレス通信リンク１２５を介したＵＥ１１５との通信用に構成された基地局１５１０を含む。基地局１５１０は、他の基地局（図示せず）からの通信リンク１２５を受信することが可能であり得る。基地局１５１０は、たとえば、システム１００、２００、または３００に示されたようなＬＴＥ  ｅＮＢ１０５またはＷＬＡＮ  ＡＰ１３５であり得る。
【０１７５】
[0167]場合によっては、基地局１５１０は、１つまたは複数のワイヤードバックホールリンクを有し得る。基地局１５１０は、たとえば、コアネットワーク１３０−ｂへのワイヤードバックホールリンク（たとえば、Ｓ１インターフェースなど）を有するＬＴＥ  ｅＮＢであり得る。基地局１５１０はまた、基地局間通信リンク（たとえば、Ｘ２インターフェースなど）を介して、基地局１５１０−ｍおよび基地局１５１０−ｎなど、他の基地局と通信し得る。基地局１５１０の各々は、同じまたは異なるワイヤレス通信技術を使用して、ＵＥ１１５と通信し得る。場合によっては、基地局１５１０は、基地局通信モジュール１５１５を利用して、１５１０−ｍおよび／または１５１０−ｎなどの他の基地局と通信し得る。いくつかの実施形態では、基地局通信モジュール１５１５は、基地局１５１０のいくつかの間の通信を行うために、ＬＴＥ／ＬＴＥ−Ａワイヤレス通信ネットワーク技術内でＸ２インターフェースを提供し得る。いくつかの実施形態では、基地局１５１０は、コアネットワーク１３０−ｂを通して他の基地局と通信し得る。場合によっては、基地局１５１０は、ネットワーク通信モジュール１５６５を通してコアネットワーク１３０−ｂと通信し得る。
【０１７６】
[0168]基地局１５１０のための構成要素は、アクセスポイント１０５、１３５（たとえば、ＬＴＥ  ｅＮＢ、ＷＬＡＮ  ＡＰなど）および中央スケジューラ３２０に関して上記で説明された態様を実装するように構成され得、ここでは簡潔のために繰り返されない場合がある。たとえば、基地局１５１０は、図３、図７、または図８の中央スケジューラ３２０の一例であり得る、中央スケジューラモジュール１５２０を含み得る。
【０１７７】
[0169]基地局１５１０は、アンテナ１５４５と、トランシーバモジュール１５５０と、メモリ１５７０と、プロセッサモジュール１５６０とを含み得、その各々は、（たとえば、バスシステム１５８０を介して）互いに直接または間接的に通信中であり得る。トランシーバモジュール１５５０は、アンテナ１５４５を介して、マルチモードデバイスであり得るＵＥ１１５と双方向に通信するように構成され得る。トランシーバモジュール１５５０（および／または基地局１５１０の他の構成要素）は、１つまたは複数の他の基地局（図示せず）と、アンテナ１５４５を介して双方向に通信するようにも構成され得る。トランシーバモジュール１５５０は、パケットを変調し、変調されたパケットを送信のためにアンテナ１５４５に与え、アンテナ１５４５から受信されたパケットを復調するように構成されたモデムを含み得る。基地局１５１０は、各々が１つまたは複数の関連付けられたアンテナ１５４５をもつ複数のトランシーバモジュール１５５０を含み得る。
【０１７８】
[0170]メモリ１５７０は、ランダムアクセスメモリ（ＲＡＭ）と読取り専用メモリ（ＲＯＭ）とを含み得る。メモリ１５７０はまた、実行されるとプロセッサモジュール１５６０に本明細書で説明される様々な機能（たとえば、呼処理、データベース管理、メッセージルーティングなど）を実施させるように構成された命令を含んでいるコンピュータ可読、コンピュータ実行可能ソフトウェアコード１５７５を記憶し得る。代替的に、ソフトウェア１５７５は、プロセッサモジュール１５６０によって直接的に実行可能でないことがあるが、たとえば、コンパイルされ実行されると、コンピュータに本明細書で説明される機能を実施させるように構成され得る。
【０１７９】
[0171]プロセッサモジュール１５６０は、インテリジェントハードウェアデバイス、たとえば、中央処理ユニット（ＣＰＵ）、マイクロコントローラ、特定用途向け集積回路（ＡＳＩＣ）などを含み得る。プロセッサモジュール１５６０は、エンコーダ、キュー処理モジュール、ベースバンドプロセッサ、無線ヘッドコントローラ、デジタル信号プロセッサ（ＤＳＰ）など、様々な特殊目的プロセッサを含み得る。
【０１８０】
[0172]図１５のアーキテクチャによれば、基地局１５１０は、通信管理モジュール１５４０をさらに含み得る。通信管理モジュール１５４０は、他の基地局１５１０との通信を管理し得る。通信管理モジュールは、他の基地局１５１０と協力して、ＵＥ１１５との通信を制御するためのコントローラおよび／またはスケジューラを含み得る。たとえば、通信管理モジュール１５４０は、ＵＥ１１５への送信のためのスケジューリング、ならびに／あるいは、ビームフォーミングおよび／またはジョイント送信など、様々な干渉緩和技法を実施し得る。
【０１８１】
[0173]図１６は、様々な実施形態による、マルチフロー動作におけるアンテナ選択およびＣＱＩ報告のための例示的な方法１６００の流れ図を示す。方法１６００は、たとえば、図１、図２、図３、図６、図８、図１３、もしくは図１４のＵＥ１１５、または図４の受信機４００を使用して実施され得る。
【０１８２】
[0174]ブロック１６０５で、ＵＥ１１５は、第１のネットワークとの第１のチャネルを介した通信のためのアンテナサブセットの第１のセットを識別し得る。たとえば、ＵＥ１１５は、ＬＴＥ  ｅＮＢ１０５からの送信を受信するために使用され得るアンテナサブセットの第１のセットを識別し得る。ブロック１６１０で、ＵＥ１１５は、第２のネットワークとの第２のチャネルを介した通信のためのアンテナサブセットの第２のセットを識別し得る。たとえば、ＵＥ１１５は、ＷＬＡＮ  ＡＰ１３５からの送信を受信するために使用され得るアンテナサブセットの第２のセットを識別し得る。アンテナサブセットの第１のセットおよび第２のセットは、リンクに関連付けられた制限に基づいて識別され得る。アンテナサブセットの第１のセットおよび第２のセットは、独立して各リンクと、同時に両方のリンクとを受信するために利用可能なサブセットを含み得る。
【０１８３】
[0175]ブロック１６１５で、ＵＥ１１５は、識別されたサブセットについて、第１の通信チャネルおよび第２の通信チャネルの各々のためのチャネル推定値を決定し得る。たとえば、ＵＥ１１５は、それにおいてすべてのアンテナを使用して、リンクの基準信号または他の信号を受信するための測定ウィンドウを決定し、各利用可能なアンテナサブセットについて、リンクのチャネル推定値を決定するために受信信号を使用し得る。
【０１８４】
[0176]ブロック１６２０で、ＵＥは、第１の通信チャネルおよび第２の通信チャネルのためのチャネルレートを決定し得る。たとえば、ＵＥは、ブロック１６２５で、重複しないアンテナサブセットをもつアンテナ構成のセットについて、第１の通信チャネルおよび第２の通信チャネルの各々のためのチャネル容量を決定し得る。ＵＥ１１５は、最高の最大合計容量を有する、そのセットからのアンテナ構成を決定し得る。ＵＥ１１５は、最大合計容量を決定するとき、第１のネットワークおよび第２のネットワークの負荷を考慮に入れ得る。たとえば、ＵＥ１１５は、リンクの推定使用に基づいて（たとえば、リンク上の最近のスケジューリングなどに基づいて）、リンクごとの計算された容量を重み付けし得る。追加または代替として、ＵＥ１１５は、ブロック１６３０で、他のリンクから独立しているリンクのチャネル容量を決定し得る。たとえば、ＵＥ１１５は、すべての受信アンテナまでの任意の利用可能なアンテナサブセットを使用して、各リンクの最高のサポートされたレートを決定し得る。
【０１８５】
[0177]ブロック１６３５で、ＵＥ１１５は、第１のネットワークおよび第２のネットワークのうちの１つまたは複数に、第１の通信チャネルおよび第２の通信チャネルのためのチャネルレートを報告し得る。報告されるチャネルレートは、スケジューリングモードに基づき得る。たとえば、ＵＥ１１５は、図８に関して上記で説明されたように、スケジューリングモードに応じて、リンクごとの最良のアンテナサブセットを使用するリンクごとのチャネルレート、重複しないアンテナサブセットを使用するリンクの最大合計容量に基づくチャネルレート、または両方を報告し得る。
【０１８６】
[0178]ブロック１６４０で、ＵＥ１１５は、第１のチャネル、第２のチャネル、または同時に第１のチャネルと第２のチャネルの両方を介して、ダウンリンク送信を受信するための、１つまたは複数のアンテナサブセットを選択し得る。アンテナサブセットの選択は、スケジューリングモードおよび他の情報（たとえば、ダウンリンクグラントなど）に基づき得る。
【０１８７】
[0179]図１７は、様々な実施形態による、マルチフロー動作におけるアンテナ選択を用いるスケジューリングのための例示的な方法１７００の流れ図を示す。方法１７００は、たとえば、図３または図７の中央スケジューラ３２０を使用して実施され得る。
【０１８８】
[0180]ブロック１７０５で、中央スケジューラ３２０は、第１のアクセスポイントと第２のアクセスポイントとを用いるＵＥのマルチフロー動作のための第１の通信チャネルおよび／または第２の通信チャネルに関するチャネルレートを受信し得る。チャネルレートは、重複しないアンテナサブセットを使用する通信チャネルの最大合計容量に基づき得る。
【０１８９】
[0181]ブロック１７１０で、中央スケジューラ３２０は、第１のリンクと第２のリンクとをスケジュールするための優先順位メトリックを決定し得る。第１のスケジューリングモードでは、スケジューラは、報告された通信レートに基づいて、第１のリンクおよび第２のリンクのための別個の優先順位を決定し得る。たとえば、中央スケジューラ３２０は、ＬＴＥネットワークおよびＷＬＡＮネットワークの各々のための、ＵＥごとの優先順位メトリックを決定し得る。第２のスケジューリングモードでは、中央スケジューラ３２０は、両方のリンクにわたる単一の優先順位リストを維持し得、アクセスポイントにわたる広帯域スケジューリングを実施し得る。
【０１９０】
[0182]ブロック１７１５で、中央スケジューラ３２０は、決定されたスケジューリング優先順位メトリックに基づいて、第１のアクセスポイントまたは第２のアクセスポイントのうちの少なくとも１つとＵＥとの間の通信をスケジュールし得る。
【０１９１】
[0183]図１８は、様々な実施形態による、マルチフロー動作におけるアンテナ選択を用いるスケジューリングのための例示的な方法１８００の流れ図を示す。方法１８００は、たとえば、図３または図７の中央スケジューラ３２０を使用して実施され得る。
【０１９２】
[0184]ブロック１８０５で、中央スケジューラ３２０は、第１のアクセスポイントと第２のアクセスポイントとを用いるＵＥのマルチフロー動作のための第１の通信チャネルおよび／または第２の通信チャネルに関するチャネルレートを受信し得る。チャネルレートは、（たとえば、すべてのアンテナまでの）任意の利用可能なアンテナサブセットを使用して、チャネルごとの最大のサポートされたレートを指示し得る。
【０１９３】
[0185]ブロック１８１０で、中央スケジューラ３２０は、第１のリンクと第２のリンクとをスケジュールするための優先順位メトリックを決定し得る。第３のスケジューリングモードでは、中央スケジューラ３２０は、アクセスポイント間の直交スケジューリングを使用し得る。たとえば、中央スケジューラ３２０は、アクセスポイントごとに独立した優先順位メトリックを維持し得、ＵＥが第１のチャネルと第２のチャネルの両方において同時にスケジュールされないことを保証し得る。
【０１９４】
[0186]ブロック１８１５で、中央スケジューラ３２０は、決定されたスケジューリング優先順位メトリックに基づいて、第１のアクセスポイントまたは第２のアクセスポイントのうちの少なくとも１つとＵＥとの間の通信をスケジュールし得る。
【０１９５】
[0187]図１９は、様々な実施形態による、マルチフロー動作におけるアンテナ選択を用いるスケジューリングのための例示的な方法１９００の流れ図を示す。方法１９００は、たとえば、図３または図７の中央スケジューラ３２０を使用して実施され得る。
【０１９６】
[0188]ブロック１９０５で、中央スケジューラ３２０は、第１のアクセスポイントと第２のアクセスポイントとを用いるＵＥのマルチフロー動作のための第１のチャネルおよび／または第２のチャネルに関するチャネルレートを受信し得る。チャネルレートは、リンクごとの最大チャネルレートと、重複しないアンテナサブセットを使用してチャネルの最大合計容量を与えるチャネルレートとを含み得る。
【０１９７】
[0189]ブロック１９１０で、中央スケジューラ３２０は、ＵＥのための優先順位メトリックを決定し得る。第４のスケジューリングモードでは、中央スケジューラ３２０は、第１のアクセスポイントおよび第２のアクセスポイントのための個々の優先順位リストを維持し、第１のチャネルのみを使用する、第２のチャネルのみを使用する、または同じ時間に両方のチャネルを使用するという、各ＵＥのための３つの受信仮定の各々のためのサポートされた通信レートを考慮に入れて、マルチフロー性能を最適化することに基づいて、ＵＥをスケジュールする。ブロック１９１５で、中央スケジューラ３２０は、アクセスポイントにわたる優先順位の合計によって、受信仮定をランク付けし得る。
【０１９８】
[0190]ブロック１９２０で、中央スケジューラ３２０は、決定されたスケジューリング優先順位メトリックに基づいて、第１のアクセスポイントまたは第２のアクセスポイントのうちの少なくとも１つとＵＥとの間の通信をスケジュールし得る。アクセスポイントのうちの１つまたは複数は、特定の送信間隔の間にＵＥへ受信構成をシグナリングし得る。
【０１９９】
[0191]添付の図面に関連して上記に記載された発明を実施するための形態は、例示的な実施形態について説明しており、実装され得るまたは特許請求の範囲内に入る実施形態のみを表すものではない。この明細書全体にわたって使用する「例示的」という用語は、「例、事例、または例示の働きをすること」を意味し、「好ましい」または「他の実施形態よりも有利である」ことを意味しない。発明を実施するための形態は、説明された技法の理解を与えるための具体的な詳細を含む。しかしながら、これらの技法は、これらの具体的な詳細なしに実践され得る。場合によっては、説明された実施形態の概念を不明瞭にしないために、よく知られている構造およびデバイスがブロック図の形態で示される。
【０２００】
[0192]情報および信号は、様々な異なる技術および技法のいずれかを使用して表され得る。たとえば、上記の説明全体にわたって言及され得るデータ、命令、命令、情報、信号、ビット、シンボル、およびチップは、電圧、電流、電磁波、磁場もしくは磁性粒子、光場もしくは光学粒子、またはそれらの任意の組合せによって表され得る。
【０２０１】
[0193]本明細書の開示に関して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明された機能を実施するように設計されたそれらの任意の組合せを用いて実装または実施され得る。汎用プロセッサはマイクロプロセッサであり得るが、代替では、プロセッサは任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【０２０２】
[0194]本明細書で説明された機能は、ハードウェア、プロセッサによって実行されるソフトウェア、ファームウェア、またはそれらの任意の組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信される場合がある。他の例および実装形態は、本開示および添付の特許請求の範囲および趣旨内に入る。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実装され得る。機能を実装する特徴はまた、機能の一部が異なる物理的ロケーションに実装されるように分散されることを含めて、様々な位置に物理的に配置され得る。また、特許請求の範囲を含めて、本明細書で使用される場合、「のうちの少なくとも１つ」で終わる項目の列挙中で使用される「または」は選言的列挙を示しており、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味する。
【０２０３】
[0195]コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用のコンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは、命令またはデータ構造の形態の所望のプログラムコード手段を搬送または記憶するために使用され得、汎用もしくは専用コンピュータ、または汎用もしくは専用プロセッサによってアクセスされ得る、任意の他の一時的または非一時的媒体を備え得る。また、任意の接続が、コンピュータ可読媒体と適切に呼ばれる。たとえば、同軸ケーブル、光ファイバーケーブル、ツイストペア、デジタル加入者線（ＤＳＬ）、または赤外線、無線、およびマイクロ波などのワイヤレス技術を使用して、ソフトウェアがウェブサイト、サーバまたは他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびｂｌｕ−ｒａｙ（登録商標）ディスク（disc）を含み、ここで、ディスク（disk）は、通常、データを磁気的に再生し、一方ディスク（disc）は、データをレーザーで光学的に再生する。上記の組合せもコンピュータ可読媒体の範囲内に含まれる。
【０２０４】
[0196]本開示についてのこれまでの説明は、当業者が本開示を構成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についての選好を暗示せず、または必要としない。したがって、本開示は、本明細書で説明された例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
２つ以上のアンテナを有するユーザ機器によって実施される通信のための方法であって、
第１の通信チャネルを介した第１のアクセスポイントとの通信のための前記２つ以上のアンテナのアンテナサブセットの第１のセットを識別することと、
第２の通信チャネルを介した第２のアクセスポイントとの通信のための前記２つ以上のアンテナのアンテナサブセットの第２のセットを識別することと、
前記アンテナサブセットの第１のセットについての前記第１の通信チャネルのための、および、前記アンテナサブセットの第２のセットについての前記第２の通信チャネルのための、チャネル推定値を決定することと、
前記決定されたチャネル推定値に少なくとも部分的に基づいて、チャネルレート情報を報告することと、ここにおいて、前記報告することが、前記第１の通信チャネルのための最大レートと前記アンテナサブセットの第１のセットとに基づく第１のチャネルレートを報告すること、前記第２の通信チャネルのための最大レートと前記アンテナサブセットの第２のセットとに基づく第２のチャネルレートを報告すること、第１のアンテナサブセットを使用する前記第１の通信チャネルの第３のチャネルレートを報告すること、もしくは、前記第１のアンテナサブセットとは異なる第２のアンテナサブセットを使用する前記第２の通信チャネルの第４のチャネルレートを報告することのうちの少なくとも１つ、またはそれらの組合せを備え、ここにおいて、前記第３のチャネルレートおよび前記第４のチャネルレートが、それぞれ前記第１のアンテナサブセットと前記第２のアンテナサブセットとを使用する、前記第１の通信チャネルと前記第２の通信チャネルとの最大合計容量に基づく、
前記報告されたチャネルレート情報に基づいて、前記第１の通信チャネルまたは前記第２の通信チャネルのうちの少なくとも１つを介して、少なくとも１つの送信を受信することと
を備える方法。
［Ｃ２］
前記報告することが、
前記第１のアクセスポイントに、前記第１の通信チャネルの前記第３のチャネルレートを報告すること
を備える、Ｃ１に記載の方法。
［Ｃ３］
前記第１のアクセスポイントのための第１の負荷重みと、前記第２のアクセスポイントのための第２の負荷重みとを決定することと、
前記第１の負荷重みと前記第２の負荷重みとにさらに基づいて、前記第１の通信チャネルと前記第２の通信チャネルとの前記最大合計容量を決定することと
をさらに備える、Ｃ２に記載の方法。
［Ｃ４］
前記報告することが、前記第１のアクセスポイントに、前記第１の通信チャネルのための前記第１のチャネルレートを報告することを備え、前記第１の通信チャネルのための前記第１のチャネルレートが、前記第１の通信チャネルの前記最大レートに関連付けられた第３のアンテナサブセットに関連付けられ、ここにおいて、前記少なくとも１つの送信を前記受信することが、
前記第３のアンテナサブセットを使用して、第１の時間間隔内で前記第１のアクセスポイントからの送信を受信することと、
前記第２の通信チャネルの前記最大レートに関連付けられた第４のアンテナサブセットを使用して、前記第１の時間間隔とは異なる第２の時間間隔内で前記第２のアクセスポイントからの送信を受信することと
を備える、Ｃ１に記載の方法。
［Ｃ５］
前記報告することが、
前記第１のアクセスポイントに、前記第１の通信チャネルの前記第１のチャネルレートと前記第３のチャネルレートとを報告すること
を備える、Ｃ１に記載の方法。
［Ｃ６］
前記報告することが、
前記第２のアクセスポイントに、前記第２の通信チャネルの前記第２のチャネルレートと前記第４のチャネルレートとを報告すること
を備える、Ｃ５に記載の方法。
［Ｃ７］
前記少なくとも１つの送信を前記受信することが、
前記第１のアクセスポイントからアンテナ選択インジケータを受信することと、前記アンテナ選択インジケータが、アンテナ受信構成、アンテナサブセットインデックス、もしくはアンテナサブセットサイズのうちの１つ、またはそれらの組合せを指示する、
前記アンテナ選択インジケータに少なくとも部分的に基づいて、前記少なくとも１つの送信を受信するためのアンテナサブセットを決定することと
を備える、Ｃ５に記載の方法。
［Ｃ８］
前記アンテナ選択インジケータが、制御情報または構成メッセージのうちの１つにおいて受信される、Ｃ７に記載の方法。
［Ｃ９］
同時に、前記第１のアンテナサブセットを使用して前記第１の通信チャネルと、前記第２のアンテナサブセットを使用して前記第２の通信チャネルとを受信する能力のインジケータを送ること
をさらに備える、Ｃ１に記載の方法。
［Ｃ１０］
前記第１のアクセスポイントがＬＴＥ／ＬＴＥ−Ａ  ｅＮＢを備え、前記第２のアクセスポイントがワイヤレスローカルエリアネットワーク（ＷＬＡＮ）アクセスポイントを備える、Ｃ１に記載の方法。
［Ｃ１１］
第１のアクセスポイントとユーザ機器（ＵＥ）との間の第１の通信チャネル、および第２のアクセスポイントと前記ＵＥとの間の第２の通信チャネルのための、チャネルレート情報を受信することと、ここにおいて、前記チャネルレートが、前記第１の通信チャネルのための最大レートに基づく第１のチャネルレート、前記第２の通信チャネルのための最大レートに基づく第２のチャネルレート、前記第１の通信チャネルの第３のチャネルレート、もしくは前記第２の通信チャネルの第４のチャネルレートのうちの少なくとも１つ、またはそれらの組合せを備え、ここにおいて、前記第３のチャネルレートおよび第４のチャネルレートが、それぞれ第１のアンテナサブセットと第２の異なるアンテナサブセットとを使用する、前記第１の通信チャネルと前記第２の通信チャネルとの最大合計容量に基づく、
前記受信されたチャネルレートに少なくとも部分的に基づいて、前記第１の通信チャネルおよび前記第２の通信チャネルのための、前記ＵＥのためのスケジューリング優先順位メトリックを決定することと、
前記決定されたスケジューリング優先順位メトリックに基づいて、前記第１のアクセスポイントまたは前記第２のアクセスポイントのうちの少なくとも１つと前記ＵＥとの間の通信をスケジュールすることと
を備える方法。
［Ｃ１２］
前記受信されたチャネルレートが、前記第１の通信チャネルのための前記第３のチャネルレートを備え、ここにおいて、前記スケジューリング優先順位メトリックを決定することが、前記第１のアクセスポイントのための、前記ＵＥのための第１のスケジューリング優先順位メトリックを決定することと、前記第１のスケジューリング優先順位メトリックから独立して、前記第２のアクセスポイントのための、前記ＵＥのための第２のスケジューリング優先順位メトリックを決定することとを備える、Ｃ１１に記載の方法。
［Ｃ１３］
前記受信されたチャネルレートが、前記第１の通信チャネルのための前記第３のチャネルレートを備え、ここにおいて、前記スケジュールすることが、同時に前記第１のアクセスポイントおよび前記第２のアクセスポイントと前記ＵＥとの間の通信をスケジュールすることを備える、Ｃ１１に記載の方法。
［Ｃ１４］
前記受信されたチャネルレートが、前記第１の通信チャネルのための前記第１のチャネルレートを備え、ここにおいて、前記スケジュールすることが、直交リソースを使用して、前記第１のアクセスポイントおよび前記第２のアクセスポイントと前記ＵＥとの間の通信をスケジュールすることを備える、Ｃ１１に記載の方法。
［Ｃ１５］
前記受信されたチャネルレートが、前記第１の通信チャネルのための前記第１のチャネルレートと前記第３のチャネルレートとを備え、ここにおいて、前記ＵＥのための前記スケジューリング優先順位メトリックを決定することが、前記第１のアクセスポイントおよび前記第２のアクセスポイントの各々について、前記第１の通信チャネルのための第１のスケジューリング優先順位メトリックと、前記第２の通信チャネルのための第２のスケジューリング優先順位メトリックと、前記第１の通信チャネルおよび前記第２の通信チャネルの同時使用のための第３のスケジューリング優先順位メトリックとを決定することを備える、Ｃ１１に記載の方法。
［Ｃ１６］
前記スケジュールされた通信を受信するための、前記ＵＥのためのアンテナサブセットメトリックを識別することと、前記アンテナサブセットメトリックが、アンテナ受信構成、アンテナサブセットインデックス、もしくはアンテナサブセットサイズのうちの１つ、またはそれらの組合せを備える、
前記スケジュールされた通信のためのアンテナ選択のために、前記ＵＥへ前記アンテナサブセットメトリックを送ることと
をさらに備える、Ｃ１１に記載の方法。
［Ｃ１７］
同時に、前記第１のアンテナサブセットを使用して前記第１の通信チャネルと、前記第２のアンテナサブセットを使用して前記第２の通信チャネルとを受信する能力のインジケータを受信すること
をさらに備える、Ｃ１１に記載の方法。
［Ｃ１８］
ワイヤレス通信のための装置であって、
２つ以上のアンテナを有するユーザ機器（ＵＥ）について、前記２つ以上のアンテナのアンテナサブセットの第１のセットと、前記２つ以上のアンテナのアンテナサブセットの第２のセットとを識別するための手段と、前記アンテナサブセットの第１のセットおよび前記アンテナサブセットの第２のセットが、それぞれ、第１の通信チャネルを介した第１のアクセスポイントとの、および第２の通信チャネルを介した第２のアクセスポイントとの通信のためである、
前記アンテナサブセットの第１のセットについての前記第１の通信チャネルのための、および、前記アンテナサブセットの第２のセットについての前記第２の通信チャネルのための、チャネル推定値を決定するための手段と、
前記決定されたチャネル推定値に少なくとも部分的に基づいて、チャネルレート情報を報告するための手段と、ここにおいて、前記報告することが、前記第１の通信チャネルのための最大レートと前記アンテナサブセットの第１のセットとに基づく第１のチャネルレートを報告すること、前記第２の通信チャネルのための最大レートと前記アンテナサブセットの第２のセットとに基づく第２のチャネルレートを報告すること、第１のアンテナサブセットを使用する前記第１の通信チャネルの第３のチャネルレートを報告すること、もしくは、前記第１のアンテナサブセットとは異なる第２のアンテナサブセットを使用する前記第２の通信チャネルの第４のチャネルレートを報告することのうちの少なくとも１つ、またはそれらの組合せを備え、ここにおいて、前記第３のチャネルレートおよび前記第４のチャネルレートが、それぞれ前記第１のアンテナサブセットと前記第２のアンテナサブセットとを使用する、前記第１の通信チャネルと前記第２の通信チャネルとの最大合計容量に基づく、
前記報告されたチャネルレート情報に基づいて、前記第１の通信チャネルまたは前記第２の通信チャネルのうちの少なくとも１つを介して、少なくとも１つの送信を受信するための手段と
を備える装置。
［Ｃ１９］
前記報告するための手段が、前記第１のアクセスポイントに、前記第１の通信チャネルの前記第３のチャネルレートを報告する、Ｃ１８に記載の装置。
［Ｃ２０］
前記第１のアクセスポイントのための第１の負荷重みと、前記第２のアクセスポイントのための第２の負荷重みとを決定するための手段と、
前記第１の負荷重みと前記第２の負荷重みとにさらに基づいて、前記第１の通信チャネルと前記第２の通信チャネルとの前記最大合計容量を決定するための手段と
をさらに備える、Ｃ１９に記載の装置。
［Ｃ２１］
前記報告するための手段が、前記第１のアクセスポイントに、前記第１の通信チャネルのための前記第１のチャネルレートを報告し、前記第１の通信チャネルのための前記第１のチャネルレートが、第３のアンテナサブセットに関連付けられ、ここにおいて、前記少なくとも１つの送信を受信するための前記手段が、前記第３のアンテナサブセットを使用して、第１の時間間隔内で前記第１のアクセスポイントからの送信を受信し、前記第２のチャネルレートに関連付けられた第４のアンテナサブセットを使用して、前記第１の時間間隔とは異なる第２の時間間隔内で前記第２のアクセスポイントからの送信を受信する、Ｃ１８に記載の装置。
［Ｃ２２］
前記報告するための手段が、前記第１のアクセスポイントに、前記第１の通信チャネルの前記第１のチャネルレートと前記第３のチャネルレートとを報告する、Ｃ１８に記載の装置。
［Ｃ２３］
前記少なくとも１つの送信を受信するための前記手段が、前記第１のアクセスポイントからアンテナ選択インジケータを受信し、前記アンテナ選択インジケータが、アンテナ受信構成、アンテナサブセットインデックス、もしくはアンテナサブセットサイズのうちの１つ、またはそれらの組合せを指示し、ここにおいて、前記第１のアンテナサブセットと前記第２のアンテナサブセットとを識別するための前記手段が、前記アンテナ選択インジケータに少なくとも部分的に基づいて、前記少なくとも１つの送信を受信するためのアンテナサブセットを決定する、Ｃ２２に記載の装置。
［Ｃ２４］
前記アンテナ選択インジケータが、制御情報または構成メッセージのうちの１つにおいて受信される、Ｃ２３に記載の装置。
［Ｃ２５］
同時に、前記第１のアンテナサブセットを使用して前記第１の通信チャネルと、前記第２のアンテナサブセットを使用して前記第２の通信チャネルとを受信する能力のインジケータを送るための手段
をさらに備える、Ｃ１８に記載の装置。
［Ｃ２６］
前記第１のアクセスポイントがＬＴＥ／ＬＴＥ−Ａ  ｅＮＢを備え、前記第２のアクセスポイントがワイヤレスローカルエリアネットワーク（ＷＬＡＮ）アクセスポイントを備える、Ｃ１８に記載の装置。
［Ｃ２７］
ワイヤレス通信のための装置であって、
第１のアクセスポイントとユーザ機器（ＵＥ）との間の第１の通信チャネル、および第２のアクセスポイントと前記ＵＥとの間の第２の通信チャネルのための、チャネルレート情報を受信するための手段と、ここにおいて、前記チャネルレートが、前記第１の通信チャネルのための最大レートに基づく第１のチャネルレート、前記第２の通信チャネルのための最大レートに基づく第２のチャネルレート、前記第１の通信チャネルの第３のチャネルレート、もしくは前記第２の通信チャネルの第４のチャネルレートのうちの少なくとも１つ、またはそれらの組合せを備え、ここにおいて、前記第３のチャネルレートおよび第４のチャネルレートが、前記第１の通信チャネルと前記第２の通信チャネルとの最大合計容量に基づく、
前記受信されたチャネルレート情報に少なくとも部分的に基づいて、前記第１の通信チャネルおよび前記第２の通信チャネルのための、前記ＵＥのためのスケジューリング優先順位メトリックを決定するための手段と、
前記決定されたスケジューリング優先順位メトリックに基づいて、前記第１のアクセスポイントまたは前記第２のアクセスポイントのうちの少なくとも１つと前記ＵＥとの間の通信をスケジュールするための手段と
を備える装置。
［Ｃ２８］
前記受信されたチャネルレート情報が、前記第１の通信チャネルのための前記第３のチャネルレートを備え、ここにおいて、前記スケジューリング優先順位メトリックを決定するための前記手段が、前記第１のアクセスポイントのための、前記ＵＥのための第１のスケジューリング優先順位メトリックを決定し、前記第１のスケジューリング優先順位メトリックから独立して、前記第２のアクセスポイントのための、前記ＵＥのための第２のスケジューリング優先順位メトリックを決定する、Ｃ２７に記載の装置。
［Ｃ２９］
前記受信されたチャネルレート情報が、前記第１の通信チャネルのための前記第３のチャネルレートを備え、ここにおいて、前記スケジュールするための手段が、同時に前記第１のアクセスポイントおよび前記第２のアクセスポイントと前記ＵＥとの間の通信をスケジュールする、Ｃ２７に記載の装置。
［Ｃ３０］
前記受信されたチャネルレート情報が、前記第１の通信チャネルのための前記第１のチャネルレートを備え、ここにおいて、前記スケジュールするための手段が、直交リソースを使用して、前記第１のアクセスポイントおよび前記第２のアクセスポイントと前記ＵＥとの間の通信をスケジュールする、Ｃ２７に記載の装置。
［Ｃ３１］
前記受信されたチャネルレート情報が、前記第１の通信チャネルのための前記第１のチャネルレートと前記第３のチャネルレートとを備え、ここにおいて、前記ＵＥのための前記スケジューリング優先順位メトリックを決定するための前記手段が、前記第１のアクセスポイントおよび前記第２のアクセスポイントの各々について、前記第１の通信チャネルのための第１のスケジューリング優先順位メトリックと、前記第２の通信チャネルのための第２のスケジューリング優先順位メトリックと、前記第１の通信チャネルおよび前記第２の通信チャネルの同時使用のための第３のスケジューリング優先順位メトリックとを決定する、Ｃ２７に記載の装置。
［Ｃ３２］
前記スケジュールされた通信を受信するための、前記ＵＥのためのアンテナサブセットメトリックを識別するための手段と、前記アンテナサブセットメトリックが、アンテナ受信構成、アンテナサブセットインデックス、もしくはアンテナサブセットサイズのうちの１つ、またはそれらの組合せを備える、
前記スケジュールされた通信のためのアンテナ選択のために、前記ＵＥへ前記アンテナサブセットメトリックを送るための手段と
をさらに備える、Ｃ２７に記載の装置。
［Ｃ３３］
前記受信するための手段が、同時に、前記第１のアンテナサブセットを使用して前記第１の通信チャネルと、前記第２のアンテナサブセットを使用して前記第２の通信チャネルとを受信する能力のインジケータを受信する、Ｃ２７に記載の装置。
［Ｃ３４］
ワイヤレス通信のためのデバイスであって、
プロセッサと、
前記プロセッサと電子通信しているメモリと、前記メモリが命令を具現化し、前記命令が、
２つ以上のアンテナを有するユーザ機器について、第１の通信チャネルを介した第１のアクセスポイントとの通信のためのアンテナサブセットの第１のセットを識別することと、
第２の通信チャネルを介した第２のアクセスポイントとの通信のための前記２つ以上のアンテナのアンテナサブセットの第２のセットを識別することと、
前記アンテナサブセットの第１のセットについての前記第１の通信チャネルのための、および、前記アンテナサブセットの第２のセットについての前記第２の通信チャネルのための、チャネル推定値を決定することと、
前記決定されたチャネル推定値に少なくとも部分的に基づいて、チャネルレート情報を報告することと、ここにおいて、前記報告することが、前記第１の通信チャネルのための最大レートと前記アンテナサブセットの第１のセットとに基づく第１のチャネルレートを報告すること、前記第２の通信チャネルのための最大レートと前記アンテナサブセットの第２のセットとに基づく第２のチャネルレートを報告すること、第１のアンテナサブセットを使用する前記第１の通信チャネルの第３のチャネルレートを報告すること、もしくは、前記第１のアンテナサブセットとは異なる第２のアンテナサブセットを使用する前記第２の通信チャネルの第４のチャネルレートを報告することのうちの少なくとも１つ、またはそれらの組合せを備え、ここにおいて、前記第３のチャネルレートおよび前記第４のチャネルレートが、それぞれ前記第１のアンテナサブセットと前記第２のアンテナサブセットとを使用する、前記第１の通信チャネルと前記第２の通信チャネルとの最大合計容量に基づく、
前記報告されたチャネルレート情報に基づいて、前記第１の通信チャネルまたは前記第２の通信チャネルのうちの少なくとも１つを介して、少なくとも１つの送信を受信することと
を行うように前記プロセッサによって実行可能である
を備えるデバイス。
［Ｃ３５］
前記メモリが、
前記第１のアクセスポイントに、前記第１の通信チャネルの前記第３のチャネルレートを報告すること
を行うように前記プロセッサによって実行可能である命令をさらに具現化する、Ｃ３４に記載のデバイス。
［Ｃ３６］
前記メモリが、
前記第１のアクセスポイントのための第１の負荷重みと、前記第２のアクセスポイントのための第２の負荷重みとを決定することと、
前記第１の負荷重みと前記第２の負荷重みとにさらに基づいて、前記第１の通信チャネルと前記第２の通信チャネルとの前記最大合計容量を決定することと
を行うように前記プロセッサによって実行可能である命令をさらに具現化する、Ｃ３５に記載のデバイス。
［Ｃ３７］
前記メモリが、
前記第１のアクセスポイントに、前記第１の通信チャネルのための前記第１のチャネルレートを報告することと、前記第１の通信チャネルのための前記第１のチャネルレートが、前記第１の通信チャネルの前記最大レートに関連付けられた第３のアンテナサブセットに関連付けられる、
前記第３のアンテナサブセットを使用して、第１の時間間隔内で前記第１のアクセスポイントからの送信を受信することと、
前記第２の通信チャネルの前記最大レートに関連付けられた第４のアンテナサブセットを使用して、前記第１の時間間隔とは異なる第２の時間間隔内で前記第２のアクセスポイントからの送信を受信することと
を行うように前記プロセッサによって実行可能である命令をさらに具現化する、Ｃ３４に記載のデバイス。
［Ｃ３８］
前記メモリが、
前記第１のアクセスポイントに、前記第１の通信チャネルの前記第１のチャネルレートと前記第３のチャネルレートとを報告すること
を行うように前記プロセッサによって実行可能である命令をさらに具現化する、Ｃ３４に記載のデバイス。
［Ｃ３９］
前記メモリが、
前記第１のアクセスポイントからアンテナ選択インジケータを受信することと、前記アンテナ選択インジケータが、アンテナ受信構成、アンテナサブセットインデックス、もしくはアンテナサブセットサイズのうちの１つ、またはそれらの組合せを指示する、
前記アンテナ選択インジケータに少なくとも部分的に基づいて、前記少なくとも１つの送信を受信するためのアンテナサブセットを決定することと
を行うように前記プロセッサによって実行可能である命令をさらに具現化する、Ｃ３８に記載のデバイス。
［Ｃ４０］
ワイヤレス通信のためのデバイスであって、
プロセッサと、
前記プロセッサと電子通信しているメモリと、前記メモリが命令を具現化し、前記命令が、
第１のアクセスポイントとユーザ機器（ＵＥ）との間の第１の通信チャネル、および第２のアクセスポイントと前記ＵＥとの間の第２の通信チャネルのための、チャネルレート情報を受信することと、ここにおいて、前記チャネルレートが、前記第１の通信チャネルのための最大レートに基づく第１のチャネルレート、前記第２の通信チャネルのための最大レートに基づく第２のチャネルレート、前記第１の通信チャネルの第３のチャネルレート、もしくは前記第２の通信チャネルの第４のチャネルレートのうちの少なくとも１つ、またはそれらの組合せを備え、ここにおいて、前記第３のチャネルレートおよび第４のチャネルレートが、前記第１の通信チャネルと前記第２の通信チャネルとの最大合計容量に基づく、
前記受信されたチャネルレートに少なくとも部分的に基づいて、前記第１の通信チャネルおよび前記第２の通信チャネルのための、前記ＵＥのためのスケジューリング優先順位メトリックを決定することと、
前記決定されたスケジューリング優先順位メトリックに基づいて、前記第１のアクセスポイントまたは前記第２のアクセスポイントのうちの少なくとも１つと前記ＵＥとの間の通信をスケジュールすることと
を行うように前記プロセッサによって実行可能である
を備えるデバイス。
［Ｃ４１］
前記受信されたチャネルレートが、前記第１の通信チャネルのための前記第３のチャネルレートを備え、ここにおいて、前記メモリが、前記第１のアクセスポイントのための、前記ＵＥのための第１のスケジューリング優先順位メトリックを決定することと、前記第１のスケジューリング優先順位メトリックから独立して、前記第２のアクセスポイントのための、前記ＵＥのための第２のスケジューリング優先順位メトリックを決定することとを行うように、前記プロセッサによって実行可能である命令をさらに具現化する、Ｃ４０に記載のデバイス。
［Ｃ４２］
前記受信されたチャネルレートが、前記第１の通信チャネルのための前記第３のチャネルレートを備え、ここにおいて、前記メモリが、同時に前記第１のアクセスポイントおよび前記第２のアクセスポイントと前記ＵＥとの間の通信をスケジュールすることを行うように、前記プロセッサによって実行可能である命令をさらに具現化する、Ｃ４０に記載のデバイス。
［Ｃ４３］
前記受信されたチャネルレートが、前記第１の通信チャネルのための前記第１のチャネルレートを備え、ここにおいて、前記メモリが、直交リソースを使用して、前記第１のアクセスポイントおよび前記第２のアクセスポイントと前記ＵＥとの間の通信をスケジュールすることを行うように、前記プロセッサによって実行可能である命令をさらに具現化する、Ｃ４０に記載のデバイス。
［Ｃ４４］
前記受信されたチャネルレートが、前記第１の通信チャネルのための前記第１のチャネルレートと前記第３のチャネルレートとを備え、ここにおいて、前記メモリが、前記第１のアクセスポイントおよび前記第２のアクセスポイントの各々について、前記第１の通信チャネルのための第１のスケジューリング優先順位メトリックと、前記第２の通信チャネルのための第２のスケジューリング優先順位メトリックと、前記第１の通信チャネルおよび前記第２の通信チャネルの同時使用のための第３のスケジューリング優先順位メトリックとを決定することを行うように、前記プロセッサによって実行可能である命令をさらに具現化する、Ｃ４０に記載のデバイス。
［Ｃ４５］
前記メモリが、
前記スケジュールされた通信を受信するための、前記ＵＥのためのアンテナサブセットメトリックを識別することと、前記アンテナサブセットメトリックが、アンテナ受信構成、アンテナサブセットインデックス、もしくはアンテナサブセットサイズのうちの１つ、またはそれらの組合せを備える、
前記スケジュールされた通信のためのアンテナ選択のために、前記ＵＥへ前記アンテナサブセットメトリックを送ることと
を行うように前記プロセッサによって実行可能である命令をさらに具現化する、Ｃ４０に記載のデバイス。
［Ｃ４６］
ワイヤレス通信のためのコンピュータプログラム製品であって、
２つ以上のアンテナを有するユーザ機器（ＵＥ）について、第１の通信チャネルを介した第１のアクセスポイントとの通信のための前記２つ以上のアンテナのアンテナサブセットの第１のセットを識別することと、
第２の通信チャネルを介した第２のアクセスポイントとの通信のための前記２つ以上のアンテナのアンテナサブセットの第２のセットを識別することと、
前記アンテナサブセットの第１のセットについての前記第１の通信チャネルのための、および、前記アンテナサブセットの第２のセットについての前記第２の通信チャネルのための、チャネル推定値を決定することと、
前記決定されたチャネル推定値に少なくとも部分的に基づいて、チャネルレート情報を報告することと、ここにおいて、前記報告することが、前記第１の通信チャネルのための最大レートと前記アンテナサブセットの第１のセットとに基づく第１のチャネルレートを報告すること、前記第２の通信チャネルのための最大レートと前記アンテナサブセットの第２のセットとに基づく第２のチャネルレートを報告すること、第１のアンテナサブセットを使用する前記第１の通信チャネルの第３のチャネルレートを報告すること、もしくは、前記第１のアンテナサブセットとは異なる第２のアンテナサブセットを使用する前記第２の通信チャネルの第４のチャネルレートを報告することのうちの少なくとも１つ、またはそれらの組合せを備え、ここにおいて、前記第３のチャネルレートおよび前記第４のチャネルレートが、それぞれ前記第１のアンテナサブセットと前記第２のアンテナサブセットとを使用する、前記第１の通信チャネルと前記第２の通信チャネルとの最大合計容量に基づく、
前記報告されたチャネルレート情報に基づいて、前記第１の通信チャネルまたは前記第２の通信チャネルのうちの少なくとも１つを介して、少なくとも１つの送信を受信することと
を行うためのコードを備える、非一時的コンピュータ可読媒体
を備えるコンピュータプログラム製品。
［Ｃ４７］
前記非一時的コンピュータ可読媒体が、
前記第１のアクセスポイントに、前記第１の通信チャネルの前記第３のチャネルレートを報告すること
を行うためのコードをさらに備える、Ｃ４６に記載のコンピュータプログラム製品。
［Ｃ４８］
前記非一時的コンピュータ可読媒体が、
前記第１のアクセスポイントのための第１の負荷重みと、前記第２のアクセスポイントのための第２の負荷重みとを決定することと、
前記第１の負荷重みと前記第２の負荷重みとにさらに基づいて、前記第１の通信チャネルと前記第２の通信チャネルとの前記最大合計容量を決定することと
を行うためのコードをさらに備える、Ｃ４７に記載のコンピュータプログラム製品。
［Ｃ４９］
前記非一時的コンピュータ可読媒体が、
前記第１のアクセスポイントに、前記第１の通信チャネルのための前記第１のチャネルレートを報告することと、前記第１の通信チャネルのための前記第１のチャネルレートが、前記第１の通信チャネルの前記最大レートに関連付けられた第３のアンテナサブセットに関連付けられる、
前記第３のアンテナサブセットを使用して、第１の時間間隔内で前記第１のアクセスポイントからの送信を受信することと、
前記第２の通信チャネルの前記最大レートに関連付けられた第４のアンテナサブセットを使用して、前記第１の時間間隔とは異なる第２の時間間隔内で前記第２のアクセスポイントからの送信を受信することと
を行うためのコードをさらに備える、Ｃ４６に記載のコンピュータプログラム製品。
［Ｃ５０］
前記非一時的コンピュータ可読媒体が、
前記第１のアクセスポイントに、前記第１の通信チャネルの前記第１のチャネルレートと前記第３のチャネルレートとを報告すること
を行うためのコードをさらに備える、Ｃ４６に記載のコンピュータプログラム製品。
［Ｃ５１］
前記非一時的コンピュータ可読媒体が、
前記第１のアクセスポイントからアンテナ選択インジケータを受信することと、前記アンテナ選択インジケータが、アンテナ受信構成、アンテナサブセットインデックス、もしくはアンテナサブセットサイズのうちの１つ、またはそれらの組合せを指示する、
前記アンテナ選択インジケータに少なくとも部分的に基づいて、前記少なくとも１つの送信を受信するためのアンテナサブセットを決定することと
を行うためのコードをさらに備える、Ｃ５０に記載のコンピュータプログラム製品。
［Ｃ５２］
ワイヤレス通信のためのコンピュータプログラム製品であって、
第１のアクセスポイントとユーザ機器（ＵＥ）との間の第１の通信チャネル、および第２のアクセスポイントと前記ＵＥとの間の第２の通信チャネルのための、チャネルレート情報を受信することと、ここにおいて、前記チャネルレートが、前記第１の通信チャネルのための最大レートに基づく第１のチャネルレート、前記第２の通信チャネルのための最大レートに基づく第２のチャネルレート、前記第１の通信チャネルの第３のチャネルレート、もしくは前記第２の通信チャネルの第４のチャネルレートのうちの少なくとも１つ、またはそれらの組合せを備え、ここにおいて、前記第３のチャネルレートおよび第４のチャネルレートが、前記第１の通信チャネルと前記第２の通信チャネルとの最大合計容量に基づく、
前記受信されたチャネルレートに少なくとも部分的に基づいて、前記第１の通信チャネルおよび前記第２の通信チャネルのための、前記ＵＥのためのスケジューリング優先順位メトリックを決定することと、
前記決定されたスケジューリング優先順位メトリックに基づいて、前記第１のアクセスポイントまたは前記第２のアクセスポイントのうちの少なくとも１つと前記ＵＥとの間の通信をスケジュールすることと
を行うためのコードを備える、非一時的コンピュータ可読媒体
を備えるコンピュータプログラム製品。
［Ｃ５３］
前記受信されたチャネルレートが、前記第１の通信チャネルのための前記第３のチャネルレートを備え、ここにおいて、前記コンピュータ可読媒体が、前記第１のアクセスポイントのための、前記ＵＥのための第１のスケジューリング優先順位メトリックを決定することと、前記第１のスケジューリング優先順位メトリックから独立して、前記第２のアクセスポイントのための、前記ＵＥのための第２のスケジューリング優先順位メトリックを決定することとを行うためのコードをさらに備える、Ｃ５２に記載のコンピュータプログラム製品。
［Ｃ５４］
前記受信されたチャネルレートが、前記第１の通信チャネルのための前記第３のチャネルレートを備え、ここにおいて、前記コンピュータ可読媒体が、同時に前記第１のアクセスポイントおよび前記第２のアクセスポイントと前記ＵＥとの間の通信をスケジュールすることを行うためのコードをさらに備える、Ｃ５２に記載のコンピュータプログラム製品。
［Ｃ５５］
前記受信されたチャネルレートが、前記第１の通信チャネルのための前記第１のチャネルレートを備え、ここにおいて、前記コンピュータ可読媒体が、直交リソースを使用して、前記第１のアクセスポイントおよび前記第２のアクセスポイントと前記ＵＥとの間の通信をスケジュールすることを行うためのコードをさらに備える、Ｃ５２に記載のコンピュータプログラム製品。
［Ｃ５６］
前記受信されたチャネルレートが、前記第１の通信チャネルのための前記第１のチャネルレートと前記第３のチャネルレートとを備え、ここにおいて、前記コンピュータ可読媒体が、前記第１のアクセスポイントおよび前記第２のアクセスポイントの各々について、前記第１の通信チャネルのための第１のスケジューリング優先順位メトリックと、前記第２の通信チャネルのための第２のスケジューリング優先順位メトリックと、前記第１の通信チャネルおよび前記第２の通信チャネルの同時使用のための第３のスケジューリング優先順位メトリックとを決定することを行うためのコードをさらに備える、Ｃ５２に記載のコンピュータプログラム製品。
［Ｃ５７］
前記非一時的コンピュータ可読媒体が、
前記スケジュールされた通信を受信するための、前記ＵＥのためのアンテナサブセットメトリックを識別することと、前記アンテナサブセットメトリックが、アンテナ受信構成、アンテナサブセットインデックス、もしくはアンテナサブセットサイズのうちの１つ、またはそれらの組合せを備える、
前記スケジュールされた通信のためのアンテナ選択のために、前記ＵＥへ前記アンテナサブセットメトリックを送ることと
を行うためのコードをさらに備える、Ｃ５２に記載のコンピュータプログラム製品。
【図１】
0006449259.tif 000029
【図２】
0006449259.tif 000030
【図３】
0006449259.tif 000031
【図４】
0006449259.tif 000032
【図５】
0006449259.tif 000033
【図６】
0006449259.tif 000034
【図７】
0006449259.tif 000035
【図８】
0006449259.tif 000036
【図９】
0006449259.tif 000037
【図１０】
0006449259.tif 000038
【図１１】
0006449259.tif 000039
【図１２】
0006449259.tif 000040
【図１３】
0006449259.tif 000041
【図１４】
0006449259.tif 000042
【図１５】
0006449259.tif 000043
【図１６】
0006449259.tif 000044
【図１７】
0006449259.tif 000045
【図１８】
0006449259.tif 000046
【図１９】
0006449259.tif 000047